(57)【要約】      （修正有）【課題】遊技の公正を担保しつつ、本来の価値を低下させることなくステップアップ予告を遊技者に提供し得る手段の提供。【解決手段】予告情報表示可否判定・内容決定手段は、複数の予告表示が時間経過に伴って段階的に発展し得るステップアップ予告を表示するか否かを判定すると共に、表示させる場合には、複数の予告表示の内、どの段階まで発展させるかを決定し、次以降の識別情報変動の際にも、複数の予告表示が段階的に発展していくステップアップ予告を表示するか否かを仮判定すると共に、表示させると仮判定した場合には、複数の予告表示の内、どの段階まで発展させるかを仮決定し、更に、、仮決定した段階が、現在固定的に表示されているステップアップ予告の段階を超える段階まで発展するか否かを判定し、当該段階まで発展しない場合には、現在表示されている当該段階に係る表示態様を別の表示態様に差し替える決定するパチンコ遊技機。【選択図】図４１
2011041816.tif 000002
【特許請求の範囲】
【請求項１】
遊技球が入球可能な始動口と、
非特別遊技時に、識別情報の変動表示及び停止表示に加え、前記識別情報の変動表示及び／又は停止表示の結果を事前に報知又は示唆する予告情報を表示可能な、演出を表示するための演出表示部と、
開状態と閉状態を採り得る可変入賞口と、
前記始動口への遊技球の入球に基づき、遊技内容決定乱数を取得する乱数取得手段と、
前記乱数に基づき、前記識別情報の変動態様及び停止態様を決定する、識別情報表示内容決定手段と、
前記乱数に基づき、前記予告情報を表示させるか否かを判定すると共に、表示させる場合には前記予告情報の表示内容を決定する、予告情報表示可否判定・内容決定手段と、
非特別遊技時に、前記識別情報の変動開始条件を充足している場合、前記識別情報表示内容決定手段により決定された表示内容に従い、前記演出表示部で前記識別情報を前記変動態様で変動表示した後に前記停止態様を表示する、識別情報表示制御手段と、
前記識別情報が変動表示中に、前記予告情報表示可否判定・内容決定手段により決定された表示内容に従い、前記演出表示部で当該内容を表示するよう制御する、予告情報表示制御手段と、
前記識別情報の前記停止態様が所定態様である場合、前記可変入賞口を前記閉状態から前記開状態にする特別遊技を実行するための特別遊技実行手段と
を有するパチンコ遊技機において、
前記予告情報表示可否判定・内容決定手段は、複数の予告表示が時間経過に伴って段階的に発展し得るステップアップ予告を表示するか否かを判定すると共に、表示させる場合には、前記複数の予告表示の内、どの段階まで発展させるかを決定し、
前記予告情報表示制御手段は、所定条件下、前記予告情報表示可否判定・内容決定手段が決定した、ある識別情報変動下で表示したステップアップ予告と同一内容を、当該ある識別情報変動終了後に実行される、次以降の識別情報変動の際にも固定的に表示し続けるよう制御し、
前記予告情報表示可否判定・内容決定手段は、前記次以降の識別情報変動の際にも、複数の予告表示が段階的に発展していくステップアップ予告を表示するか否かを仮判定すると共に、表示させると仮判定した場合には、前記複数の予告表示の内、どの段階まで発展させるかを仮決定し、更に
前記予告情報表示可否判定・内容決定手段は、前記仮決定した段階が、現在固定的に表示されているステップアップ予告の段階を超える段階まで発展するか否かを判定し、当該段階まで発展しない場合には、現在表示されている当該段階に係る表示態様を別の表示態様に差し替える決定をし、
前記予告情報表示制御手段は、前記予告情報表示可否判定・内容決定手段が表示態様の差替を決定した場合、現在表示されている当該段階に係る表示態様を別の表示態様に差し替えて表示するよう制御し、
前記予告情報表示可否判定・内容決定手段は、現在表示されているステップアップ予告の段階を超える段階まで発展しない仮決定の回数に基づき、差し替える表示態様を決定する
ことを特徴とするパチンコ遊技機。
【発明の詳細な説明】
【技術分野】
【０００１】
本発明は、非特別遊技時に始動口に遊技球が入球したことを契機として、識別情報表示部上の識別情報が所定時間変動表示した後に所定態様で停止した場合、当該非特別遊技よりも遊技者にとって有利な特別遊技に移行し得るタイプのパチンコ遊技機に関し、特に、予め定められた順番で異なる予告（例えばキャラクタ）を時間経過に伴って出現させて識別情報が所定態様で停止する可能性が高いことを明示又は示唆するステップアップ予告機能を搭載したパチンコ遊技機に関する。
【背景技術】
【０００２】
現在最も普及しているパチンコ遊技機は、始動口（スタートチャッカー）に遊技球が入球したことを契機として、７セグ等の表示部上で「特別図柄」と称される図柄が変動表示され、当該特別図柄が特定態様（例えば「７」）となった場合、通常遊技状態よりも遊技者にとって利益状態の高い特別遊技状態｛通常時は閉状態にある大入賞口（アタッカー）が所定条件で開放する内容の遊技｝に移行するタイプの、いわゆる「デジパチ」と呼ばれている機種（従来の「第一種遊技機」）である。ここで、遊技者の利益に直結する特別図柄の表示制御の負担を軽減するために、前記の「特別図柄」とは別に、遊技の興趣性を高めるための演出用の「装飾図柄」と称される図柄が、前記特別図柄の変動とシンクロした形で、前記表示部よりもサイズが大きい液晶等のディスプレー上で変動表示される。そして、特別図柄の変動が開始されると装飾図柄もこれに合わせて変動を開始し、特別図柄が特定態様（例えば「７」）で停止した場合、装飾図柄もこれに合わせて所定態様（例えば「７７７」）で停止することとなる。そして、遊技者は、装飾図柄が所定態様で停止したことにより、特別遊技へ移行が確定したことを認識する。
【０００３】
ここで、当該仕組みはこの種のパチンコ遊技機で共通するので、他種との差別化を図るためには、前記図柄の変動態様を含めた演出全般に対し、いかに工夫を凝らし高い興趣性を付与するかということに注力されている。予告演出はその内の一つであり、図柄変動開始から図柄停止までの間（典型的には、図柄変動開始からリーチ状態となるまでの間）に、特定のキャラクタ等を演出表示部上に表示し、大当たりとなる可能性が高いことを事前に告知する演出である。この予告演出に様々な態様の演出があり、例えば、予め定められた順番で時間経過に伴って所定のキャラクタを出現させて大当たりとなる可能性が高いことを段階的に示唆するステップアップ予告が知られている（例えば特許文献１及び２）。
【０００４】
ここで、予告演出の内、ステップアップ予告に着目した場合、当該ステップアップ予告の実行は、現在の機種（先読み禁止型）においては、基本的には一変動でなされる。即ち、ある図柄変動の際に、ステップアップ予告を実行するか否かとどの段階まで発展させるかを決定した上、当該図柄変動中に、決定された段階までの表示を完結させる。そして、当該図柄変動終了後は、当該図柄変動の際に表示されていたステップアップ予告を引きずることなく、新たに前述のステップアップ予告可否抽選等が実行される。また、過去の機種（先読み許容型）においては、ある図柄変動の際に、当該図柄変動を含めた複数回に亘ってのステップアップ予告も存在していた。これは、いわゆる「先読み」と称される手法であり、ある図柄変動の際に存在する保留球が大当たりの可能性が高い乱数値である場合、当該ある図柄変動からこの保留球に係る図柄変動までの間、ステップアップ予告を実行する、というものである。
【特許文献１】特開２００２−３０６７４１
【特許文献２】特開２００２−２３１９８９
【発明の開示】
【発明が解決しようとする課題】
【０００５】
ここで、このステップアップ予告のインパクトさ故、当該予告が表示されることに高い期待感を抱いている遊技者は多い。しかしながら、前記現在の機種（先読み禁止型）においては、ステップアップ予告の発生頻度は比較的高いが、当該予告が表示される期間は当該変動のみと短い。他方、前記従来の機種（先読み許容型）においては、ステップアップの表示は複数変動に亘る点で比較的長時間ステップアップ予告を見続けることが可能であるが、まだ変動が許容されていない乱数に基づき当該ステップアップ予告抽選を実行することは、遊技の公正の観点からは必ずしも好ましいこととはいえない。更に、両機種に共通する問題として挙げられるのが、あまり発展しない信頼度の低いステップアップ予告が頻繁に表示されることに起因した、当該予告の価値の低下を招いているという点である。したがって、いずれの機種においても、遊技の公正を担保しつつ、遊技者が満足できる期間・質でステップアップ予告を提供することができていないのが実情である。
【０００６】
そこで、本発明は、遊技の公正を担保しつつ、本来の価値を低下させることなくかつ新たな楽しみが化体されたステップアップ予告を遊技者に提供し得る手段を供することを目的とする。
【課題を解決するための手段】
【０００７】
本発明（１）は、遊技球が入球可能な始動口（特図始動口２１１０）と、
非特別遊技時に、識別情報（装飾図柄）の変動表示及び停止表示に加え、前記識別情報（装飾図柄）の変動表示及び／又は停止表示の結果を事前に報知又は示唆する予告情報を表示可能な、演出を表示するための演出表示部（演出表示装置２１４０）と、
開状態と閉状態を採り得る可変入賞口（大入賞口２１２０）と、
前記始動口（特図始動口２１１０）への遊技球の入球に基づき、遊技内容決定乱数（乱数取得判定実行手段１１２０）を取得する乱数取得手段と、
前記乱数に基づき、前記識別情報（装飾図柄）の変動態様及び停止態様を決定する、識別情報表示内容決定手段（装図表示内容決定手段２１５３ａ−１）と、
前記乱数に基づき、前記予告情報を表示させるか否かを判定すると共に、表示させる場合には前記予告情報の表示内容を決定する、予告情報表示可否判定・内容決定手段（予告表示可否決定・内容決定手段２１５３ｃ−１）と、
非特別遊技時に、前記識別情報（装飾図柄）の変動開始条件を充足している場合、前記識別情報表示内容決定手段（装図表示内容決定手段２１５３ａ−１）により決定された表示内容に従い、前記演出表示部（演出表示装置２１４０）で前記識別情報（装飾図柄）を前記変動態様で変動表示した後に前記停止態様を表示する、識別情報表示制御手段（装飾図柄表示制御手段２１５３ａ）と、
前記識別情報（装飾図柄）が変動表示中に、前記予告情報表示可否判定・内容決定手段（予告表示可否決定・内容決定手段２１５３ｃ−１）により決定された表示内容に従い、前記演出表示部（演出表示装置２１４０）で当該内容を表示するよう制御する、予告情報表示制御手段（予告表示制御手段２１５３ｃ）と、
前記識別情報（装飾図柄）の前記停止態様が所定態様である場合、前記可変入賞口（大入賞口２１２０）を前記閉状態から前記開状態にする特別遊技を実行するための特別遊技実行手段（特別遊技制御手段１１７０）と
を有するパチンコ遊技機において、
前記予告情報表示可否判定・内容決定手段（予告表示可否決定・内容決定手段２１５３ｃ−１）は、複数の予告表示が時間経過に伴って段階的に発展し得るステップアップ予告を表示するか否かを判定すると共に、表示させる場合には、前記複数の予告表示の内、どの段階まで発展させるかを決定し、
前記予告情報表示制御手段（予告表示制御手段２１５３ｃ）は、所定条件下、前記予告情報表示可否判定・内容決定手段（予告表示可否決定・内容決定手段２１５３ｃ−１）が決定した、ある識別情報変動下で表示したステップアップ予告と同一内容を、当該ある識別情報変動終了後に実行される、次以降の識別情報変動の際にも固定的に表示し続けるよう制御し、
前記予告情報表示可否判定・内容決定手段（予告表示可否決定・内容決定手段２１５３ｃ−１）は、前記次以降の識別情報（装飾図柄）変動の際にも、複数の予告表示が時間経過に伴って段階的に発展していくステップアップ予告を表示するか否かを仮判定すると共に、表示させると仮判定した場合には、前記複数の予告表示の内、どの段階まで発展させるかを仮決定し、更に
前記予告情報表示可否判定・内容決定手段（予告表示可否決定・内容決定手段２１５３ｃ−１）は、前記仮決定した段階が、現在固定的に表示されているステップアップ予告の段階を超える段階まで発展するか否かを判定し、当該段階まで発展しない場合には、現在表示されている当該段階に係る表示態様を別の表示態様に差し替える決定をし、
前記予告情報表示制御手段（予告表示制御手段２１５３ｃ）は、前記予告情報表示可否判定・内容決定手段（予告表示可否決定・内容決定手段２１５３ｃ−１）が表示態様の差替を決定した場合、現在表示されている当該段階に係る表示態様を別の表示態様に差し替えて表示するよう制御する
ことを特徴とするパチンコ遊技機である。
【０００８】
本発明（２）は、前記予告情報表示可否判定・内容決定手段（予告表示可否決定・内容決定手段２１５３ｃ−１）は、現在表示されているステップアップ予告の段階を超える段階まで発展しない仮決定の回数に基づき、差し替える表示態様を決定する、前記発明（１）のパチンコ遊技機である。
【０００９】
本発明（３）は、前記予告情報表示可否判定・内容決定手段（予告表示可否決定・内容決定手段２１５３ｃ−１）は、前記仮決定した段階が、現在固定的に表示されているステップアップ予告の段階を超える段階まで発展するか否かを判定し、当該段階まで発展しない場合には、現在表示されている当該段階の内、前記仮決定した段階までの表示態様を別の表示態様に差し替える決定をする、前記発明（１）又は（２）のパチンコ遊技機である。
【００１０】
ここで、本特許請求の範囲及び本明細書における各用語の意義について説明する。まず、「入球」とは、賞球が払い出される入賞のみならず、遊技者に対して何らかの利益状態を生じ得るもの一切を包含する概念であり、いわゆる「スルーチャッカー」や入賞口を含む。「識別情報」とは、視覚的に認識可能なものであれば特に限定されず、例えば、数字、文字、図柄等を挙げることができる（例えば、装飾図柄、特別図柄、ブランク図柄）。「開状態」とは、遊技球が流入可能な状態や流入し易い状態を指し、「閉状態」とは、遊技球が流入不能な状態や遊技球が流入困難な状態を指す。「入賞」とは、賞球払出に関連する概念である。「遊技内容決定乱数」とは、遊技内容決定に直接的又は間接的に関係する乱数を指す。ここで、「乱数」とは、パチンコ遊技機において何らかの遊技内容を決定するための抽選（電子計算機によるくじ）に使用される乱数（遊技内容決定乱数）であり、例えば、遊技の結果に影響を与えるいわゆる「基本乱数」、具体的には、特別遊技の移行と関連した「当選乱数」、識別図柄の変動態様（又は変動時間）を決定するための「変動態様決定乱数」、停止図柄を決定する「図柄決定乱数」、特別遊技後に特定遊技（例えば確率変動遊技）に移行するか否かを決定する「当たり図柄決定乱数」等を挙げることができる。尚、変動態様の内容や確定識別情報の内容等を決定する際、これらすべての乱数を使用する必要はなく、互いに同一又は相違する、少なくとも一つの乱数を使用すればよい。また、例えば、一つの乱数（例えば当選乱数）が、別の乱数（例えば図柄決定乱数）を兼ねていてもよい。「乱数に基づき」とは、演出の内容（例えば、識別情報の変動内容や停止識別情報）を当該乱数から直接的に決定する場合のみならず、当該乱数から直接決定された事項から間接的に決定する場合も包含する（例えば、停止図柄を乱数から直接決定し、当該停止図柄から変動内容を決定する場合や、特別図柄を乱数から直接決定し、当該特別図柄から装飾図柄を決定する場合や、識別情報の変動態様や停止識別情報に基づいて、予告の可否やその内容を決定する場合）。「遊技内容」とは、例えば、識別情報の変動態様や停止態様、予告の有無やその内容等を指す。「仮停止」とは、一見して停止しているように見えるが、再び動き出す停止態様を指す。
【発明の効果】
【００１１】
本発明（１）によれば、ある識別情報変動時、当該変動時に取得した乱数に基づいてステップアップ予告の表示可否判定と内容決定をすると共に、複数回の識別情報変動に亘って当該予告が固定的に表示されるように構成されているので、当該変動時しかステップアップ予告が表示されない現在の機種（先読み禁止型）と比較するとステップアップ予告の表示時間が相対的に長くなるために遊技者に高い満足感を付与することができると共に、従来の機種（先読み許容型）のような遊技の公正を害する調整機能は存在しないので、遊技者に対して安心感を付与することができるという効果をも奏する。更には、前記複数回の識別情報変動の間に、現在表示されているステップアップ予告を超える段階までは発展しないステップアップ予告が内部的に当選した場合には、現在固定的に表示されているステップアップ予告の段階は変えることなく、当該段階に係る表示態様を別の表示態様に差し替えて表示するよう構成されているので、内部的にステップアップ予告が当選したことを遊技者に報知できる結果、このように別の表示態様となった際の識別情報変動について遊技者に期待感を付与することが可能になると共に、表示態様が変わるという新たな楽しみを遊技者に付与することができるという効果を奏する。加えて、信頼度の低いステップアップ予告が表示されることに起因した遊技者の不快感を払拭できると共に、内部当選した当該信頼度の低いステップアップ予告が新たな演出のトリガーとして利用される結果、当該信頼度の低いステップアップ予告を単にキャンセルする態様と比較し、遊技の単調さを回避することができるという効果も奏する。
【００１２】
本発明（２）によれば、前記効果に加え、現在表示されているステップアップ予告を超える段階までは発展しないステップアップ予告の内部仮決定回数をカウントし、当該カウント値に基づき、差し替えられる表示態様が変化するように構成されているので、カウント値を積み重ねていくことにより新たな表示態様を見ることができるという動機付けを遊技者に対して付与することができる結果、遊技の興趣性をより高めることが可能となるという効果を奏する。
【００１３】
本発明（３）によれば、前記効果に加え、表示態様の差し替えを実行するに際し、現在表示されている段階の内、仮決定した段階までの表示態様を別の表示態様に差し替えるよう構成されているので、どの段階までのステップアップ予告が何回内部当選したかを判別することが可能になるという効果を奏する。
【発明を実施するための最良の形態】
【００１４】
以下、本発明の最良形態を説明する。尚、以下の最良形態は、従来の第一種パチンコ遊技機であるが、これに限定されず、例えば他の遊技機｛例えば、従来の第二種や第三種、一般電役、普通機、複合機（例えば、従来の第一種の機能を二つ有する遊技機や、従来の第一種の機能と従来の第二種の機能を一つ有する遊技機）｝に応用された場合も本発明の範囲内である。尚、あくまで最良の形態であり、各手段が存在する場所や機能等、各種処理に関しての各ステップの順序、フラグのオン・オフのタイミング、各ステップの処理を担う手段名等に関し、以下の態様に限定されるものではない。
【００１５】
まず、図１を参照しながら、本最良形態に係るパチンコ遊技機の前面側の基本構造を説明する。パチンコ遊技機は、主に遊技機枠と遊技盤で構成される。以下、これらを順に説明する。
【００１６】
はじめに、パチンコ遊技機の遊技機枠は、外枠１０２、前枠１０４、透明板１０６、扉１０８、上球皿１１０、下球皿１１２及び発射ハンドル１１６を含む。まず、外枠１０２は、パチンコ遊技機を設置すべき位置に固定するための枠体である。前枠１０４は、外枠１０２の開口部分に整合する枠体であり、図示しないヒンジ機構を介して外枠１０２に開閉可能に取り付けられる。前枠１０４は、遊技球を発射する機構、遊技盤を着脱可能に収容させるための機構、遊技球を誘導又は回収するための機構等を含む。透明板１０６は、ガラス等により形成され、扉１０８により支持される。扉１０８は、図示しないヒンジ機構を介して前枠１０４に開閉可能に取り付けられる。上球皿１１０は、遊技球の貯留、発射レールへの遊技球の送り出し、下球皿１１２への遊技球の抜き取り等の機構を有する。下球皿１１２は、遊技球の貯留、抜き取り等の機構を有する。また、上球皿１１０と下球皿１１２の間にはスピーカ１１４が設けられており、遊技状態等に応じた効果音が出力される。
【００１７】
次に、遊技盤は、外レール１２２と内レール１２４とにより区画された遊技領域１２０が形成されている。そして、当該遊技領域１２０には、図示しない複数の遊技釘及び風車等の機構や各種一般入賞口の他、特図始動口２１１０、普図入賞口２２１０、大入賞口２１２０、特別図柄表示装置２１３０、演出表示装置２１４０、普通図柄表示装置２２２０、センター飾り１９２及びアウト口１４２が設置されている。以下、各要素を順番に詳述する。
【００１８】
まず、特図始動口２１１０は、主遊技に対応する始動入賞口として設置されている。具体的構成としては、特図始動口２１１０は、入球検出装置２１１１と、電動役物２１１２と、電動役物２１１２を開閉させるための電動役物ソレノイド１３２とを備える。ここで、入球検出装置２１１１は、特図始動口２１１０への遊技球の入球を検出するセンサであり、入球時にその入球を示す特図始動口入球情報を生成する。次に、電動役物２１１２は、特図始動口２１１０に遊技球が入賞し得る通常状態と当該通常状態よりも遊技球が入賞し易い開放状態に可変する。
【００１９】
次に、普図入賞口２２１０は、入球検出装置２２１１を備える。ここで、入球検出装置２２１１は、普図入賞口２２１０への遊技球の入球を検出するセンサであり、入球時にその入球を示す普図始動口入球情報を生成する。尚、普図入賞口２２１０への遊技球の入球は、特図始動口２１１０の電動役物２１１２を拡開させるための抽選の契機となる。
【００２０】
次に、大入賞口２１２０は、特別図柄が所定態様で停止した場合、「大当たり」として開状態となる、横長方形状を成しアウト口１４２の上方に位置した、主遊技に対応した入賞口である。具体的構成としては、大入賞口２１２０は、遊技球の入球を検出するための入球検出装置２１２１と、電動役物２１２２と、電動役物２１２２を開閉させるための大入賞口ソレノイド２３３０とを備える。ここで、入球検出装置２１２１は、大入賞口２１２０への遊技球の入球を検出するセンサであり、入球時にその入球を示す大入賞口入球情報を生成する。電動役物２１２２は、大入賞口２１２０に遊技球が入賞不能又は入賞困難な通常状態と遊技球が入賞し易い開放状態に大入賞口２１２０を可変させる。
【００２１】
次に、特別図柄表示装置２１３０は、主遊技に対応する特別図柄の変動表示及び停止表示を行う。具体的構成としては、特別図柄表示装置２１３０は、特図表示部２１３１と、特図保留表示部２１３２とを備える。ここで、特図保留表示部２１３２は、４個のランプから構成され、当該ランプの点灯個数が、主遊技に係る乱数の保留数（実行されていない特別図柄の変動数）に相当する。尚、特別図柄表示装置２１３０は、例えば７セグメントＬＥＤで構成され、特別図柄は、「０」〜「９」の１０種類の数字及び「−」で表示される。
【００２２】
尚、特別図柄は必ずしも演出的な役割を持つ必要が無いため、本最良形態では、特別図柄表示装置２１３０の大きさは、目立たない程度に設定されている。しかしながら、特別図柄自体に演出的な役割を持たせて装飾図柄を表示させないような手法を採用する場合には、後述する演出表示装置２１４０のような液晶ディスプレーに、特別図柄を表示させるように構成してもよい。
【００２３】
次に、演出表示装置２１４０は、主として、特別図柄と連動して変動・停止する装飾図柄を含む演出画像の変動表示及び停止表示が行われると共に、当該変動表示の際の予告表示が行われる。具体的構成としては、演出表示装置２１４０は、装図表示部２１４１と、装図保留表示部２１４２とを備える。ここで、装図表示部２１４１は、例えば、スロットマシンのゲームを模した複数列の装飾図柄変動の動画像を画面の中央領域に表示する。尚、演出表示装置２１４０は、本最良形態では液晶ディスプレーで構成されているが、機械式のドラムやＬＥＤ等の他の表示手段で構成されていてもよい。次に、装図保留表示部２１４２は、４個のランプから構成され、当該ランプは、特別図柄の保留ランプと連動している。
【００２４】
次に、普通図柄表示装置２２２０は、普通図柄の変動表示及び停止表示が行われる。具体的構成としては、普通図柄表示装置２２２０は、普図表示部２２２１と、普図保留表示部２２２２とを備える。ここで、普図保留表示部２２２２は、４個のランプから構成され、当該ランプの点灯個数が、普通図柄変動の保留数（実行されていない普通図柄の変動数）に相当する。
【００２５】
最後に、センター飾り１９２は、演出表示装置２１４０の周囲に設置され、遊技球の流路、演出表示装置２１４０の保護、装飾等の機能を有する。また、遊技効果ランプ１９０は、遊技領域１２０又は遊技領域外に設けられ、点滅等することで演出の役割を果たす。
【００２６】
次に、図２を参照しながら、パチンコ遊技機の背面側における基本構造を説明する。パチンコ遊技機は、パチンコ遊技機の全体動作を制御し、特に特図始動口２１１０へ入球したときの抽選等、遊技動作全般の制御（即ち、遊技者の利益と直接関係する制御）を行う主制御装置１０００と、遊技内容に興趣性を付与する装図表示部２１４１上での各種演出に係る表示制御を行う演出表示制御手段２１５０と、遊技の興趣性を高める演出が表示される演出表示装置２１４０と、賞球タンク２１２、賞球レール２１４及び各入賞口への入賞に応じて賞球タンク２１２から供給される遊技球を上球皿１１０へ払い出す払出ユニット２１６等を備える賞球払出機構（セット基盤）２１０と、払出ユニット２１６による払出動作を制御する賞球払出装置３０００と、上球皿１１０の遊技球（貯留球）を遊技領域１２０へ１球ずつ発射する発射装置２３２と、発射装置２３２の発射動作を制御する発射制御基板２３０と、パチンコ遊技機の各部へ電力を供給する電源ユニット２９０と、パチンコ遊技機の電源をオンオフするスイッチである電源スイッチ２９２等が、前枠１０４裏面（遊技側と反対側）に設けられている。
【００２７】
次に、図３のブロック図を参照しながら、本最良形態に係るパチンコ遊技機の各種機能について説明する。はじめに、主制御装置１０００は、遊技に係る遊技周辺機器２０００と、主制御装置１０００からの払出指示に基づき所定数の賞球の払出制御を行う賞球払出装置３０００と情報伝達可能に接続されている。尚、主制御装置１０００は、ハードウエア的にはデータやプログラムを格納するＲＯＭやＲＡＭ、演算処理に用いるＣＰＵ等の素子等から構成される。尚、以下で主制御装置１０００に含まれるとする各手段を周辺機器（例えば、遊技周辺機器２０００）に搭載される形で構成してもよい。例えば、本最良形態では、主制御装置１０００に払出制御機能を持たせているが、例えば賞球払出装置３０００内に持たせるように構成してもよい。同様に、周辺機器（例えば、遊技周辺機器２０００）に含まれるとする各手段を主制御装置１０００に搭載される形で構成してもよい。以下、上記各手段（装置）の詳細を説明する。
【００２８】
まず、主制御装置１０００は、主遊技・補助遊技に関する主たる制御を司る遊技制御手段１１００と、遊技周辺機器２０００側に各種遊技情報｛例えば、停止図柄情報、停止図柄の属性情報（例えば、確率変動当たり、回数制限付き時間短縮当たり、通常当たり、ハズレ）、変動態様に関する情報（例えば、変動時間）、特別遊技の開始信号・状態情報・終了信号、保留情報等｝を送信するための情報送信手段１２００と、各種入賞口への遊技球の入賞に基づき所定の賞球の払出を行うように賞球払出装置３０００を制御する賞球払出決定手段１３００とを有している。
【００２９】
ここで、遊技制御手段１１００は、各入球口（始動口等）への遊技球の流入を判定するための入球判定手段１１１０と、各乱数の取得可否を判定し、当該判定結果に基づき当該各乱数を取得するための乱数取得判定実行手段１１２０と、変動表示中における各始動口への入球を保留球として上限個数以内で一時記憶するための保留制御手段１１３０と、各乱数に基づき、各図柄の停止図柄及び変動態様（変動時間等）を決定するための図柄内容決定手段１１４０と、各図柄の変動及び停止表示する制御を行うための表示制御手段１１５０と、特図始動口２１１０の電動役物２１１２の開閉決定に直接関連する各種処理を行うための電チュー開閉制御手段１１６０と、通常遊技よりも遊技者に有利な特別遊技に関する制御を司る特別遊技制御手段１１７０と、現在の遊技状態をどの遊技状態に移行させるかの決定と、当該決定に基づき遊技状態を移行させる処理を行うための特定遊技制御手段１１８０と、現在の遊技状態｛例えば、主遊技に関連した状態（通常遊技状態、特定遊技状態、特別遊技状態）、補助遊技に関連した状態（易開放状態、非易開放状態）、特別図柄に係る停止図柄及び変動態様情報、各種フラグのオンオフ状況、特別遊技中の遊技状態（例えばラウンド数や入賞個数情報）｝等を一時記憶するための遊技状態一時記憶手段１１９０とを有している。以下、各手段について詳述する。
【００３０】
まず、入球判定手段１１１０は、特図始動口２１１０へ遊技球が入球したか否かを判定する特図始動口入球判定手段１１１１と、普図入賞口２２１０に遊技球が流入したか否かを判定する普図始動口入球判定手段１１１２とを有している。
【００３１】
次に、乱数取得判定実行手段１１２０は、特図始動口２１１０への遊技球の入球に基づき遊技内容決定乱数を取得するか否かを判定すると共に、判定結果に応じて当該乱数（例えば、当選乱数、変動態様決定乱数、特別図柄決定乱数等）を取得する特図乱数取得判定実行手段１１２１と、普通図柄当選乱数の取得の可否を判定し、当該判定結果に基づき当該乱数を取得するための普図乱数取得判定実行手段１１２２とを有している。
【００３２】
ここで、上記を含め本特許請求の範囲及び本明細書における「乱数」は、例えば、乱数の種類により割り振られた「０」〜「６５５３５」（当選乱数）や「０」〜「２５５」（変動態様決定乱数）といった所定範囲からランダムに選択された値である。また、乱数としては、数学的に発生させる乱数でなくともよく、ハードウエア乱数やソフトウエア乱数等により発生させる擬似乱数でもよい。例えば、乱数にある夫々の値の発現方式が、乱数の数列に沿って順々に値を発現させる方式（プラスワン方式）、乱数の数列の最終値が発現したときの次の値（初期値）を偶然性のある値によって定める方式（初期値更新方式）、これらの組み合わせ等を挙げることができる。
【００３３】
次に、保留制御手段１１３０は、取得した遊技内容決定乱数に基づく図柄変動が許可されていない場合に当該乱数を特図保留情報一時記憶手段１１３１ａに記憶するための特図保留手段１１３１と、普通図柄変動許可が下りていない状況で取得した普通図柄当選乱数を一時記憶するか否かを判定し、当該判定結果に基づき当該乱数を図柄変動許可が下りるまで保留するための普図保留手段１１３２とを有している。ここで、特図保留手段１１３１及び普図保留手段１１３２は、最大４個まで記憶可能な、前記乱数を保留順序と結合した形で一時記憶するための、特図保留情報一時記憶手段１１３１ａ及び普図保留情報一時記憶手段１１３２ａを夫々有している。
【００３４】
次に、図柄内容決定手段１１４０は、取得した遊技内容決定乱数に基づき、特別図柄の停止図柄と変動態様（変動時間等）を決定する特図内容決定手段１１４１と、取得した普通図柄当選乱数に基づき普通図柄の停止図柄を決定する普図内容決定手段１１４２とを有している。
【００３５】
ここで、特図内容決定手段１１４１は、特別図柄に係る停止図柄や変動態様を決定する際に参照される特図内容決定用抽選テーブル１１４１ａを当たり・ハズレ毎に別テーブルとして有しており、当該特図内容決定用抽選テーブル１１４１ａは、遊技状態に応じて異なる各種抽選テーブルを備えている（通常遊技→特図通常遊技状態用抽選テーブル１１４１ａ−１、確率変動遊技→特図確率変動遊技状態用抽選テーブル１１４１ａ−２、時間短縮遊技→特図時間短縮遊技状態用抽選テーブル１１４１ａ−３）。更に、普図内容決定手段１１４２は、普通図柄に係る停止図柄を決定する際に参照される普図内容決定用抽選テーブル１１４２ａを有しており、当該普図内容決定用抽選テーブル１１４２ａは、遊技状態に応じて異なる各種当選テーブルを備えている（通常遊技→普図通常用抽選テーブル１１４２ａ−１、確率変動遊技及び時間短縮遊技→普図時間短縮用抽選テーブル１１４２ａ−２）。
【００３６】
また、図示しないが、上記における特図内容決定用抽選テーブル１１４１ａの各抽選テーブル（特図通常遊技状態用抽選テーブル１１４１ａ−１、特図確率変動遊技状態用抽選テーブル１１４１ａ−２、特図時間短縮遊技状態用抽選テーブル１１４１ａ−３）は、変動態様を決定するに際し、夫々が複数の抽選テーブルを有しており、所定条件を充足した場合（例えば保留球が所定数以上）では、短い変動態様が選択され易い抽選テーブルが選択され、他方、所定条件を充足しない場合（例えば保留球が所定数未満）では、長い変動態様が選択され易い抽選テーブルが選択されるように構成されている。
【００３７】
次に、表示制御手段１１５０は、特別図柄表示装置２１３０の特図表示部２１３１上で、所定時間特別図柄を変動させた後に停止表示する制御を行う特図制御手段１１５１と、普通図柄表示装置２２２０の普図表示部２２２１上で、所定時間普通図柄を変動させた後に停止表示する制御を行う普図制御手段１１５２とを有している。
【００３８】
ここで、特図制御手段１１５１は、前記特図内容決定手段１１４１により決定された変動態様に係る変動時間を管理するための特図変動時間管理手段１１５１ａを更に有している。また、特図変動時間管理手段１１５１ａは、ゼロクリア可能な特図変動管理用タイマ１１５１ａ−１（デクリメントカウンタ）を更に有している。更に、普図制御手段１１５２は、普通図柄表示装置２２２０の普図表示部２２２１上での普通図柄の変動時間を管理するための普図変動時間管理手段１１５２ａを有している。また、普図変動時間管理手段１１５２ａは、時間を計測可能な普図変動管理用タイマ１１５２ａ−１を更に備えている。
【００３９】
次に、電チュー開閉制御手段１１６０は、特図始動口２１１０の電動役物２１１２を開閉する処理を行うための条件を充足しているか否かを判定するための条件判定手段１１６１と、特図始動口２１１０の電動役物２１１２の駆動（開放）時間を計測する開放タイマ１１６２とを有している。
【００４０】
次に、特別遊技制御手段１１７０は、特別遊技に移行するための条件を充足しているか否かを判定する条件判定手段１１７１と、前記条件を充足している場合に、特別遊技を実行するための特別遊技実行手段１１７２と、特別遊技に関する各種処理の時間管理を行うための特別遊技時間管理手段１１７３とを有している。更に、この特別遊技時間管理手段１１７３は、時間を計測可能な特別遊技用タイマ１１７３ａを有している。
【００４１】
次に、特定遊技制御手段１１８０は、特定遊技状態の終了条件を充足しているか否かを判定する特定遊技終了条件判定手段１１８１を有している。ここで、特定遊技終了条件判定手段１１８１は、時短回数をカウント可能な時短回数カウンタ１１８１ａを更に有している。ここで、本最良形態においては、時短回数は１００回であり、当該時短中には、非時短中と比較して、特別図柄の変動時間が相対的に短縮される（時間短縮機能）。更に、普通図柄の変動時間も相対的に短縮されると共に、特図始動口２１１０の電動役物２１１２の開放延長時間が相対的に延長される（開放時間延長機能）。尚、上記の特定遊技終了条件判定手段１１８１は、例えば、回数制限付きの確率変動遊技において終了回数に到達したか否かを判定する機能を有していたり（回数制限付確率変動遊技機能を有するパチンコ遊技機の場合）、図柄変動の度に所定確率で特定遊技（例えば確率変動遊技や時間短縮遊技）から通常遊技への移行抽選を行う機能を有していてもよい（転落抽選機能を有するパチンコ遊技機の場合）。
【００４２】
次に、遊技状態一時記憶手段１１９０は、主遊技における現在の遊技状態を一時記憶するための主遊技状態一時記憶手段１１９１と、補助遊技における現在の遊技状態を一時記憶するための補助遊技状態一時記憶手段１１９２とを有している。
【００４３】
ここで、主遊技状態一時記憶手段１１９１は、各種遊技状態における各種フラグのオンオフ情報を一時記憶するためのフラグ一時記憶手段１１９１ａと、現在変動中の特別図柄（変動開始条件が成立した特別図柄）に係る停止図柄及び変動態様情報を一時記憶するための特図情報一時記憶手段１１９１ｂと、特別遊技に関する情報（ラウンド数、任意のラウンドにおける遊技球の入賞個数等）を一時記憶するための特別遊技関連情報一時記憶手段１１９１ｃとを有している。
【００４４】
また、補助遊技状態一時記憶手段１１９２は、補助遊技に関する情報（例えば、普通図柄当選フラグ・開放延長フラグ・時間短縮フラグ等の各種フラグのオンオフ情報）を一時記憶するための補助遊技関連情報一時記憶手段１１９２ａと、現在変動中の普通図柄（変動開始条件が成立した普通図柄）に係る停止図柄等の情報を一時記憶するための普図情報一時記憶手段１１９２ｂとを有している。
【００４５】
次に、遊技周辺機器２０００は、主遊技側の周辺機器である主遊技周辺機器２１００と、補助遊技に関する補助遊技周辺機器２２００とを有している。以下、これらの周辺機器を順番に説明する。
【００４６】
まず、主遊技周辺機器２１００は、特別遊技移行の契機となる特図始動口２１１０と、通常遊技の際には閉状態にあり、特別遊技の際には所定条件下で開状態となる大入賞口２１２０と、特別図柄の停止表示及び変動表示が可能な特別図柄表示装置２１３０と、装飾図柄の停止表示及び変動表示・特別遊技移行を示唆する予告表示・特別遊技中の遊技進行状況を示す表示を含め、演出に係る表示を行う演出表示装置２１４０と、演出に係る一切の表示制御を司る演出表示制御手段２１５０とを有している。
【００４７】
ここで、演出表示制御手段２１５０は、主制御装置１０００側からの各種情報を受信するための表示情報受信手段２１５１と、主制御装置１０００側からの前記情報に基づき、演出表示装置２１４０での演出表示制御を行う表示制御手段２１５３とを有している。以下、上記各手段を詳述する。
【００４８】
まず、表示情報受信手段２１５１は、主制御装置１０００側からの主遊技に関する図柄情報を一時記憶するためのメイン側情報一時記憶手段２１５１ａを有している。尚、メイン側情報一時記憶手段２１５１ａに一時記憶された図柄情報は、以下で説明する各処理において、後述の各種手段により必要に応じ適宜参照される。
【００４９】
次に、表示制御手段２１５３は、演出表示装置２１４０の装図表示部２１４１上での装飾図柄の変動表示や停止表示に関する制御を司る装飾図柄表示制御手段２１５３ａと、演出表示装置２１４０の装図保留表示部２１４２上での保留情報の表示処理に関する一切の制御を司る装図保留情報表示制御手段２１５３ｂと、遊技者にとって有利な特別遊技状態への移行の可能性を示唆する予告オブジェクトに関する表示制御を司る予告表示制御手段２１５３ｃと、当該演出の際に当該演出に関連する情報を一時記憶する演出表示関連情報一時記憶手段２１５３ｄとを有している。
【００５０】
ここで、装飾図柄表示制御手段２１５３ａは、メイン側情報一時記憶手段２１５１ａ内に一時記憶された主制御装置１０００側からの図柄情報に基づき、装飾図柄の停止図柄と変動態様を決定するための装図表示内容決定手段２１５３ａ−１と、装飾図柄や装飾図柄の変動態様に関するデータ（各種オブジェクトデータ、動画像データ、音声データ等）を含め演出に関する一切のデータを記憶するための装図変動態様記憶手段２１５３ａ−２とを更に有している。ここで、装図表示内容決定手段２１５３ａ−１は、装飾図柄の変動態様を決定する際に参照するための装図変動内容決定用抽選テーブル２１５３ａ−１−１を有している。
【００５１】
次に、装図保留情報表示制御手段２１５３ｂは、現在の保留球数を一時記憶するための装図保留情報一時記憶手段２１５３ｂ−１を更に有している。
【００５２】
次に、予告表示制御手段２１５３ｃは、決定された装飾図柄の停止図柄と変動態様に基づき、予告オブジェクトを表示するか否かの判定を行うと共に、表示する場合にはその内容を決定するための予告表示可否判定・内容決定手段２１５３ｃ−１と、予告オブジェクトに関するデータを記憶するための予告内容記憶手段２１５３ｃ−２とを更に有している。ここで、予告表示可否判定・内容決定手段２１５３ｃ−１は、予告表示の可否及び内容決定する際に参照するための予告表示可否判定・内容決定用抽選テーブル２１５３ｃ−１−１を更に有している。
【００５３】
尚、演出表示制御手段２１５０は、その他にも、遊技効果ランプ１９０の点灯及び消灯や、スピーカ１１４からの音声出力等の演出処理といった、画像表示以外の演出に係る一切の制御を更に制御する。また、本最良形態においては、演出表示制御手段２１５０が、装飾図柄、遊技ランプ及び音声の制御を一体的に行なうように構成しているが、機能的に別個の周辺機器として分離するように構成してもよい。この場合、当該周辺機器同士を基板対基板コネクタで接続するように構成してもよい。
【００５４】
次に、補助遊技周辺機器２２００は、特図始動口２１１０の電動役物２１１２の開放の契機となる普図入賞口２２１０と、普通図柄の停止表示及び変動表示が可能な普通図柄表示装置２２２０とを有している。
【００５５】
尚、特別図柄表示装置２１３０及び普通図柄表示装置２２２０が、主制御装置１０００と情報伝達可能に接続されており、残る演出表示装置２１４０が、演出表示制御手段２１５０と情報伝達可能に接続されている。即ち、特別図柄表示装置２１３０及び普通図柄表示装置２２２０は、主制御装置１０００により制御され、演出表示装置２１４０は、演出表示制御手段２１５０により夫々制御されることを意味する。尚、主制御装置１０００と片方向通信により制御される他の周辺機器を介して、別の周辺機器を制御するように構成してもよい。
【００５６】
ここで、フローチャートの説明をする前に、本最良形態に係るパチンコ遊技機が有する各種演出機能と、当該演出機能に関連した主なパラメータを説明する。
【００５７】
《ステップアップ予告》
ステップアップ予告は、一回の装飾図柄変動の間に、時間経過と共に段階的に発展していく予告を指す。例えば、図３９（ａ）に示すように、ステップアップ予告Ｓ１表示タイミングに到達した場合、Ｓ１（第一段階）予告が表示され、その後、ステップアップ予告Ｓ２表示タイミングに到達した場合、Ｓ２（第二段階）予告が表示される。このように、より先の段階（本最良形態では最大で第四段階）まで予告が発展すると、特別遊技への期待度が高まるように構成されている。
◎関連パラメータ
・ＳＨｍａｘ値：当該変動においてステップアップ予告がどの段階まで発展するのかを示すパラメータ（１〜４）
【００５８】
《擬似連続ステップアップ予告》
擬似連続ステップアップ予告は、装飾図柄の擬似連続変動の際、各擬似変動毎に、前述のステップアップ予告を行う演出を指す。例えば、図４４（ａ−１）〜（ａ−３）に示すように、まず、第一回目の擬似変動の際に、Ｓ１までしか発展しないステップアップ予告が表示され、二回目の擬似変動の際に、Ｓ２まで発展するステップアップ予告が表示され、三回目の擬似変動の際に、Ｓ３まで発展するステップアップ予告が表示される。このように、ステップアップ予告が擬似的に連続して実行されると共に、より後の擬似変動になる程、より発展するステップアップ予告が表示される。
◎関連パラメータ
・ＳＨｍａｘ値：当該変動においてステップアップ予告がどの段階まで発展するのかを示すパラメータ（１〜４）
・ｋ値      ：擬似連続変動回数
【００５９】
《滞在モードα１》
滞在モードα１は、ステップアップ予告の内部当選を契機として移行するモードであり、当該ステップアップ予告で表示された段階までの予告が、以後の装飾図柄変動の際に、引き続き固定的に表示されるモードを指す。例えば、図３９に示すように、ある図柄変動の際、第二段階までのステップアップ予告が表示される｛図３９（ａ）｝。そして、図３９（ｂ）及び（ｃ）に示すように、当該第二段階までのステップアップ予告が、その次の図柄変動から引き続き固定的に表示される（以後、このように引き続き固定的に表示される予告を「ＴＨ予告」という）。ここで、当該モード中にステップアップ予告が更に内部決定された場合、（１）ＴＨ予告よりも先の段階まで当該ステップアップ予告が発展する場合には、当該先の段階まで発展し｛図３９（ｃ）｝、（２）ＴＨ予告よりも先の段階まで当該ステップアップ予告が発展しない場合には、当該内部決定されたステップアップ予告をキャンセルする｛図３９（ｂ）｝。そして、ＴＨ予告よりも先の段階まで当該ステップアップ予告が発展した場合｛図３９（ｃ）｝、当該変動で滞在モードは終了し、次の変動から通常モードとなる｛図３９（ｄ）｝。
◎関連パラメータ
・ＳＨｍａｘ値：当該変動においてステップアップ予告がどの段階まで発展するのかを示すパラメータ（１〜４）
・Ｓαｍａｘ値：次変動以降で引き続き固定的に表示されるＴＨ予告
・ｎ値      ：当該滞在モードの残り滞在回数
【００６０】
《滞在モードα２》
滞在モードα２は、基本的には滞在モードα１と同一である。但し、当該滞在モード中にＴＨ予告よりも発展するステップアップ予告に当選した場合、滞在モードα１では、次の図柄変動から非滞在モードとなる（即ち、ＴＨ予告は表示されない）のに対して、当該滞在モードでは、次の図柄変動の際にもＴＨ予告が表示される（しかも、前回の図柄変動の際により先の段階まで発展したステップアップ予告がＴＨ予告として表示される）。例えば、図４０（ｃ）に示すように、Ｓ２までのＴＨ予告が表示されている状況下、Ｓ３まで発展するステップアップ予告に当選した場合、Ｓ３のステップアップ予告の表示タイミングに到達した際に当該ステップアップ予告を表示し、当該図柄変動が終了する。そして、図４０（ｄ）に示すように、次の図柄変動の冒頭から、Ｓ３までのＴＨ予告が表示されることになる。
◎関連パラメータ
・ＳＨｍａｘ値：当該変動においてステップアップ予告がどの段階まで発展するのかを示すパラメータ（１〜４）
・Ｓαｍａｘ値：次変動以降で引き続き固定的に表示されるＴＨ予告
・ｎ値      ：当該滞在モードの残り滞在回数
【００６１】
《滞在モードα３》
滞在モードα３は、基本的には滞在モードα１と同一である。但し、当該滞在モード中にＴＨ予告を超えるまでは発展しないステップアップ予告に当選した場合、表示されているＴＨ予告の表示態様を変更する点で相違する。例えば、図４１（ａ）〜（ｂ）に示すように、Ｓ２までのＴＨ予告が表示されている滞在モードα３下で、内部的にＳ１のみのステップアップ予告に当選した場合、楕円形であったＴＨ予告が四角に変わる。更に、図示しないが、以後、当該滞在モード中にＴＨ予告を超えるまでは発展しないステップアップ予告の当選を重ねると、三角→五角形→六角形→星形、といった具合に、同一段階のＴＨ予告でありながらその表示態様を変化させる。尚、本最良形態では、滞在モード中にＴＨ予告を超えるまでは発展しないステップアップ予告に内部当選した場合、内部当選したステップアップ予告がどの段階まで発展するかに関わらず一律にすべてのＴＨ予告の表示形態を変化させるように構成したが、内部当選したステップアップ予告の発展段階に応じ、当該発展段階までのＴＨ予告の表示形態のみ変化させるように構成してもよい。具体的には、ＴＨ予告がＳ１〜Ｓ３であり、内部当選したステップアップ予告がＳ１→Ｓ２である場合、Ｓ１及びＳ２のみの表示形態を変更する例を挙げることができる。
◎関連パラメータ
・ＳＨｍａｘ値：当該変動においてステップアップ予告がどの段階まで発展するのかを示すパラメータ（１〜４）
・Ｓαｍａｘ値：次変動以降で引き続き固定的に表示されるＴＨ予告
・ｎ値      ：当該滞在モードの残り滞在回数
・ｍ値      ：表示態様パラメータ（当該モード中にＴＨ予告まで発展しないステップアップ予告に当選する度に１ずつインクリメントされるパラメータ）
【００６２】
《滞在モードβ１》
前述のように、滞在モードα１〜３下では、ステップアップ予告抽選を毎回実行し、表示されているＴＨ予告よりも発展するステップアップ予告に当選した場合には、当該ステップアップ予告を表示するよう構成されている。他方、滞在モードβ下では、当該モード突入時にのみステップアップ予告抽選を実行し、それ以後の図柄変動の際には、ステップアップ予告抽選を実行しないように構成されている。そして、突入時の図柄変動以後の図柄変動（即ち、次変動以降の図柄変動）の際にどのようなステップアップ予告を表示するかが、当該モード突入時に予め決定されている。そして、滞在モードβの内、滞在モードβ１は、複数の図柄変動のそれぞれにおいて、ステップアップ予告を行うモードである。即ち、遊技者が保留球を見てない状況では、前述の擬似連続変動において擬似ステップアップ予告を擬似変動の度に実行する態様と混同を生じるモードである。具体的には、図４２に示すように、滞在モードβ１突入時には、第一段階のステップアップ予告が表示される（初回の図柄変動）。そして、二回目の図柄変動の際には、第二段階までのステップアップ予告が表示され、三回目の図柄変動の際には、第三段階までのステップアップ予告が表示される。このように、三回の図柄変動に亘って、立て続けにステップアップ予告が表示される結果、保留球状態を遊技者が確認していない状況下では、当該滞在モード下での演出なのか擬似連続変動下での演出なのかが区別できず、当該遊技者に混同を生じさせる事態を誘発できる。
◎関連パラメータ
・ＳＨｍａｘ値：当該変動においてステップアップ予告がどの段階まで発展するのかを示すパラメータ（１〜４）
・ｎ値      ：当該滞在モードの残り滞在回数
【００６３】
《滞在モードβ２》
滞在モードβ２は、基本的には滞在モードβ１と同一である。但し、初回のステップアップ予告で表示された段階までの予告が、以後の装飾図柄変動の際に、引き続き固定的に表示される。例えば、図４３（ａ）に示すように、初回の図柄変動の際、第二段階までのステップアップ予告が表示される。そして、図４３（ｂ）及び（ｃ）に示すように、当該第二段階までのステップアップ予告が、その次の図柄変動から引き続き表示される。このように、当該モードは、一見すると滞在モードα１のそれと同一である。したがって、遊技者は滞在モードα１下での演出なのか滞在モードβ２下での演出なのかが区別できず、当該遊技者に混同を生じさせる事態を誘発できる。
◎関連パラメータ
・ＳＨｍａｘ値：当該変動においてステップアップ予告がどの段階まで発展するのかを示すパラメータ（１〜４）
・Ｓβｍａｘ値：次変動以降で引き続き表示されるＴＨ予告
・ｎ値      ：当該滞在モードの残り滞在回数
【００６４】
次に、図４〜図３８のフローチャートを参照しながら、本最良形態に係るパチンコ遊技機の処理の流れを説明する。はじめに、図４〜図１２のフローチャートを参照しながら、本最良形態に係るパチンコ遊技機のメイン基板側での処理の流れを説明する。まず、図４は、主制御装置１０００が行う一般的な処理の流れを示したメインフローチャートである。図４に示すように、まず、ステップ１１００で、主制御装置１０００は、後述の普通図柄当選乱数取得処理を実行する。次に、ステップ１２００で、主制御装置１０００は、後述の電チュー駆動判定処理を実行する。次に、ステップ１３００で、主制御装置１０００は、後述の特別遊技内容決定乱数取得処理を実行する。次に、ステップ１４００で、主制御装置１０００は、後述の特別図柄表示処理を実行する。次に、ステップ１５００で、主制御装置１０００は、後述の特別遊技作動条件判定処理を実行する。次に、ステップ１６００で、主制御装置１０００は、後述の特別遊技実行処理を実行する。次に、ステップ１８００で、主制御装置１０００（特に賞球払出決定手段１３００）は、遊技球が入賞した入賞口に基づき、賞球払出装置３０００を駆動して所定の賞球数の払出処理を行い、再びステップ１１００に戻る。以下、各サブルーチンに係る処理について詳述する。
【００６５】
まず、図５は、図４におけるステップ１１００のサブルーチンに係る、普通図柄当選乱数取得処理のフローチャートである。まず、ステップ１１０２で、普図始動口入球判定手段１１１２は、普図入賞口２２１０に遊技球が入球（流入、通過）したか否かを判定する。ステップ１１０２でＹｅｓの場合、ステップ１１０４で、普図乱数取得判定実行手段１１２２は、普図保留情報一時記憶手段１１３２ａを参照し、保留球が上限（例えば４個）でないか否かを判定する。ステップ１１０４でＹｅｓの場合、ステップ１１０６で、普図乱数取得判定実行手段１１２２は、普通図柄当選乱数を取得する。次に、ステップ１１０８で、普図保留手段１１３２は、何個目の保留であるかという情報と共に、当該乱数を普図保留情報一時記憶手段１１３２ａにセットする形で保留球を１加算し、次の処理（電チュー駆動判定処理１２００）に移行する。尚、ステップ１１０２及びステップ１１０４でＮｏの場合も、次の処理（電チュー駆動判定処理１２００）に移行する。
【００６６】
次に、図６は、図４におけるステップ１２００のサブルーチンに係る、電チュー駆動判定処理のフローチャートである。まず、ステップ１２０２で、電チュー開閉制御手段１１６０は、補助遊技関連情報一時記憶手段１１９２ａを参照して、電チュ−開放中フラグがオフであるか否かを判定する。ステップ１２０２でＹｅｓの場合、ステップ１２０４で、普図制御手段１１５２は、補助遊技関連情報一時記憶手段１１９２ａを参照して、普通図柄変動中フラグがオフであるか否かを判定する。ステップ１２０４でＹｅｓの場合、ステップ１２０６で、普図内容決定手段１１４２は、普図保留情報一時記憶手段１１３２ａにアクセスし、普通図柄に関する保留球があるか否かを判定する。ステップ１２０６でＹｅｓの場合、ステップ１２１０で、普図内容決定手段１１４２は、フラグ一時記憶手段１１９１ａを参照して、現在の遊技状態が易開放状態中（時間短縮フラグオン）か否かを判定する。ステップ１２１０でＹｅｓの場合には、ステップ１２１２で、普図内容決定手段１１４２は、普図時間短縮用抽選テーブル１１４２ａ−２をセットし、他方、ステップ１２１０でＮｏの場合には、ステップ１２１４で、普図内容決定手段１１４２は、普図通常用抽選テーブル１１４２ａ−１をセットする。そして、ステップ１２１６で、普図内容決定手段１１４２は、当該保留球に基づく普通図柄乱数に基づき停止図柄を決定する。次に、ステップ１２１８で、普図変動時間管理手段１１５２ａは、セットしたテーブルに基づき、普図変動管理用タイマ１１５２ａ−１に所定時間（例えば、時短遊技の場合には５秒、通常遊技の場合には３０秒）をセットする。そして、ステップ１２２０で、普図制御手段１１５２は、補助遊技関連情報一時記憶手段１１９２ａ中の普通図柄変動中フラグをオンにする。次に、ステップ１２２２で、普図保留手段１１３２は、普通図柄に関する当該保留球を１減算した上で普図保留情報一時記憶手段１１３２ａに記録されている保留情報を更新すると共に、普図制御手段１１５２は、普図変動管理用タイマ１１５２ａ−１をスタートした後、普図表示部２２２１上で普通図柄の変動表示を開始する。次に、ステップ１２２４で、普図変動時間管理手段１１５２ａは、普図変動管理用タイマ１１５２ａ−１を参照して、前記所定時間に到達したか否かを判定する。ステップ１２２４でＹｅｓの場合、ステップ１２２６で、普図制御手段１１５２は、普図表示部２２２１上で、前記ステップ１２１６で普図内容決定手段１１４２が決定した停止図柄を確定表示する。そして、ステップ１２２８で、普図制御手段１１５２は、補助遊技関連情報一時記憶手段１１９２ａ中の普通図柄変動中フラグをオフにする。次に、ステップ１２３０で、条件判定手段１１６１は、当該停止図柄が「当たり」であるか否かを判定する。ステップ１２３０でＹｅｓの場合、ステップ１２３２で、電チュー開閉制御手段１１６０は、セットしたテーブルに基づき、開放タイマ１１６２に所定時間（例えば、時短遊技の場合には５秒、通常遊技の場合には０．５秒）セットする。次に、ステップ１２３４で、電チュー開閉制御手段１１６０は、補助遊技関連情報一時記憶手段１１９２ａ中の電チュ−開放中フラグをオンにする。そして、ステップ１２３６で、電チュー開閉制御手段１１６０は、特図始動口２１１０の電動役物２１１２を開放する。次に、ステップ１２３８で、電チュー開閉制御手段１１６０は、開放タイマ１１６２を参照して、前記所定時間に到達したか否かを判定する。ステップ１２３８でＹｅｓの場合、ステップ１２４０及びステップ１２４２で、電チュー開閉制御手段１１６０は、特図始動口２１１０の電動役物２１１２を閉鎖すると共に、補助遊技関連情報一時記憶手段１１９２ａ中の電チュ−開放中フラグをオフにし、次の処理（ステップ１３００の特別遊技内容決定乱数取得処理）に移行する。
【００６７】
尚、ステップ１２０２でＮｏの場合にはステップ１２３８に移行し、ステップ１２０４でＮｏの場合にはステップ１２２４に移行し、ステップ１２０６、ステップ１２２４、ステップ１２３０及びステップ１２３８でＮｏの場合には次の処理（ステップ１３００の特別遊技内容決定乱数取得処理）に移行する。
【００６８】
次に、図７は、図４におけるステップ１３００のサブルーチンに係る、特別遊技内容決定乱数取得処理に係るフローチャートである。まず、ステップ１３０２で、特図始動口入球判定手段１１１１は、特図始動口２１１０の入球検出装置２１１１から特図始動口入球情報を受信したか否かを判定する。ステップ１３０２でＹｅｓの場合、ステップ１３０４で、特図乱数取得判定実行手段１１２１は、特図保留情報一時記憶手段１１３１ａを参照し、保留球が上限（例えば４個）でないか否かを判定する。ステップ１３０４でＹｅｓの場合、ステップ１３０６で、特図乱数取得判定実行手段１１２１は、遊技内容決定乱数（当選乱数、変動態様決定乱数、特別図柄決定乱数等）を取得し、特図保留手段１１３１が、何個目の保留であるかという情報と共に当該乱数を特図保留情報一時記憶手段１１３１ａにセットする。次に、ステップ１３０８で、情報送信手段１２００は、特図保留情報一時記憶手段１１３１ａを参照し、当該乱数が何個目の保留として記憶されたのかの情報を取得すると共に、当該情報を演出表示制御手段２１５０側に送信し、次の処理｛ステップ１４００の特別図柄表示処理（＋特定遊技終了判定処理）｝に移行する。尚、ステップ１３０２及びステップ１３０４でＮｏの場合も、次の処理｛ステップ１４００の特別図柄表示処理（＋特定遊技終了判定処理）｝に移行する。
【００６９】
次に、図８は、図４におけるステップ１４００のサブルーチンに係る、特別図柄表示処理のフローチャートである。まず、ステップ１４０２で、特図内容決定手段１１４１は、変動開始条件（特別遊技中でないこと＋特別図柄変動中でないこと）が成立しているか否かを判定する。
【００７０】
ステップ１４０２でＹｅｓの場合、ステップ１４０４で、特図内容決定手段１１４１は、フラグ一時記憶手段１１９１ａを参照して、確率変動フラグがオンであるか否かを判定する。ステップ１４０４でＹｅｓの場合、ステップ１４０６で、特図内容決定手段１１４１は、参照テーブルとして特図確率変動遊技状態用抽選テーブル１１４１ａ−２をセットし、ステップ１４１４に移行する。
【００７１】
他方、ステップ１４０４でＮｏの場合、ステップ１４０８で、特図内容決定手段１１４１は、フラグ一時記憶手段１１９１ａを参照して、時間短縮フラグがオンであるか否かを判定する。ステップ１４０８でＹｅｓの場合、ステップ１４１０で、特図内容決定手段１１４１は、参照テーブルとして特図時間短縮遊技状態用抽選テーブル１１４１ａ−３をセットし、ステップ１４１４に移行する。
【００７２】
他方、ステップ１４０８でＮｏの場合、ステップ１４１２で、特図内容決定手段１１４１は、参照テーブルとして特図通常遊技状態用抽選テーブル１１４１ａ−１をセットし、ステップ１４１４に移行する。
【００７３】
次に、ステップ１４１４で、特図内容決定手段１１４１は、特図保留情報一時記憶手段１１３１ａに一時記憶されている、今回の図柄変動に係る遊技内容決定乱数を読み出す。そして、ステップ１４１６で、特図内容決定手段１１４１は、セットした各抽選テーブルを参照し、遊技内容決定乱数（例えば、当選乱数及び特別図柄決定乱数）に基づいて特別図柄に関する停止図柄を決定すると共に、遊技内容決定乱数（例えば、当選乱数及び変動態様決定乱数）に基づいて特別図柄の変動態様を決定し、これらを特図情報一時記憶手段１１９１ｂに一時記憶する。そして、ステップ１４１７で、遊技制御手段１１００は、抽選結果が当たりか否かを判定する。ステップ１４１７でＹｅｓの場合、ステップ１４１８で、遊技制御手段１１００は、フラグ一時記憶手段１１９１ａ中の当たりフラグをオンにする。他方、ステップ１４１７でＮｏの場合には、ステップ１４１８をスキップする。次に、ステップ１４１９で、情報送信手段１２００は、ステップ１４１６で決定した特別図柄に関する図柄情報（停止図柄情報、停止図柄の属性情報、変動態様情報等）及び現在の遊技状態を演出表示制御手段２１５０側に送信する。次に、ステップ１４２０で、特図変動時間管理手段１１５１ａが、所定時間（前記ステップ１４１６で決定した変動態様に係る変動時間）を特図変動管理用タイマ１１５１ａ−１にセットする。そして、ステップ１４２２で、特図制御手段１１５１は、特別図柄表示装置２１３０の特図表示部２１３１上で、特図情報一時記憶手段１１９１ｂに記憶された変動態様に従い、特別図柄の変動表示を開始する。次に、ステップ１４４６で、特図制御手段１１５１は、フラグ一時記憶手段１１９１ａ中の変動中フラグをオンする。そして、ステップ１４３４で、特図変動時間管理手段１１５１ａが、前記所定時間に到達したか否かを判定する。ここで、ステップ１４３４でＮｏの場合には、次の処理（ステップ１５００の特別遊技作動条件判定処理）に移行する。他方、ステップ１４３４でＹｅｓの場合、ステップ１４３６で、情報送信手段１２００は、所定時間に到達した旨のコマンドを演出表示制御手段２１５０側に送信する。次に、ステップ１４３８で、特図制御手段１１５１は、特別図柄表示装置２１３０の特図表示部２１３１上での特別図柄の変動表示を停止し、特図情報一時記憶手段１１９１ｂに記憶されている停止図柄を確定停止図柄として表示制御する。次に、ステップ１４４０で、特図制御手段１１５１は、フラグ一時記憶手段１１９１ａ中の変動中フラグをオフにする。そして、ステップ１４４２で、特図変動時間管理手段１１５１ａは、特図変動管理用タイマ１１５１ａ−１をリセットする。次に、ステップ１４５０で、主制御装置１０００は、後述の特定遊技終了判定処理を実行し、次の処理（ステップ１５００の特別遊技作動条件判定処理）に移行する。
【００７４】
尚、ステップ１４０２でＮｏの場合には、ステップ１４４４で、特図制御手段１１５１は、フラグ一時記憶手段１１９１ａを参照し、変動中フラグがオンであるか否かを判定する。ステップ１４４４でＹｅｓの場合にはステップ１４３４に移行し、Ｎｏの場合には次の処理（ステップ１５００の特別遊技作動条件判定処理）に移行する。
【００７５】
次に、図９は、図８におけるステップ１４５０のサブルーチンに係る、特定遊技終了判定のフローチャートである。まず、ステップ１４５２で、特定遊技制御手段１１８０は、時短回数カウンタ１１８１ａを参照して、時短回数カウンタ値が０よりも大きいか否かを判定する。ステップ１４５２でＹｅｓの場合、ステップ１４５４で、特定遊技制御手段１１８０は、時短回数カウンタ１１８１ａの時短回数カウンタ値を１減算する。次に、ステップ１４５６で、特定遊技制御手段１１８０は、時短回数カウンタ１１８１ａを参照して、時短回数が０であるか否かを判定する。ステップ１４５６でＹｅｓの場合、ステップ１４６０で、特定遊技制御手段１１８０は、フラグ一時記憶手段１１９１ａ中の時間短縮フラグをオフにし、次の処理（特別遊技作動条件判定処理１５００）に移行する。尚、ステップ１４５２及びステップ１４５６でＮｏの場合にも、次の処理（特別遊技作動条件判定処理１５００）に移行する。
【００７６】
次に、図１０は、図４におけるステップ１５００のサブルーチンに係る、特別遊技作動条件判定処理のフローチャートである。まず、ステップ１５０２で、条件判定手段１１７１は、フラグ一時記憶手段１１９１ａを参照し、当たりフラグがオンであるか否かを判定する。ステップ１５０２でＹｅｓの場合、ステップ１５０４で、条件判定手段１１７１は、特別図柄表示装置２１３０の特図表示部２１３１上に表示された特別図柄が所定態様で停止したか否かを判定する。ステップ１５０４でＹｅｓの場合、ステップ１５０６及びステップ１５０８で、条件判定手段１１７１は、フラグ一時記憶手段１１９１ａ中の特別遊技移行許可フラグをオンにすると共に当たりフラグをオフにする。次に、ステップ１５５２及び１５５４で、特定遊技制御手段１１８０は、フラグ一時記憶手段１１９１ａ中の特定遊技フラグ（確率変動フラグ・時間短縮フラグ）を一旦オフにすると共に、時短回数カウンタ１１８１ａをリセット（時短回数カウンタ値＝０）し、次の処理（ステップ１６００の特別遊技実行処理）に移行する。尚、ステップ１５０２及びステップ１５０４でＮｏの場合にも、次の処理（ステップ１６００の特別遊技実行処理）に移行する。
【００７７】
次に、図１１は、図４でのステップ１６００のサブルーチンに係る、特別遊技実行処理のフローチャートである。まず、ステップ１６０２で、特別遊技実行手段１１７２は、フラグ一時記憶手段１１９１ａを参照し、特別遊技移行許可フラグがオンであるか否かを判定する。ステップ１６０２でＹｅｓの場合、ステップ１６０６及びステップ１６０８で、特別遊技実行手段１１７２は、フラグ一時記憶手段１１９１ａ中の特別遊技移行許可フラグをオフにすると共に特別遊技実行フラグをオンにする。次に、ステップ１６０４で、情報送信手段１２００は、演出表示制御手段２１５０側に特別遊技開始信号を送信し、ステップ１６１２に移行する。他方、ステップ１６０２でＮｏの場合、ステップ１６１０で、特別遊技実行手段１１７２は、特別遊技実行フラグがオンであるか否かを判定する。そして、ステップ１６１０でＹｅｓの場合には、ステップ１６１２に移行する。尚、ステップ１６１０でＮｏの場合には、特別遊技実行手段１１７２は、特別遊技の許可が下りていないと判定し、次の処理（賞球払出処理１８００）に移行する。
【００７８】
次に、ステップ１６１２で、特別遊技実行手段１１７２は、フラグ一時記憶手段１１９１ａを参照し、ラウンド継続フラグがオンであるか否か、換言すれば、当該ラウンドが途中であるか否かを判定する。ステップ１６１２でＹｅｓの場合、即ち、当該ラウンドが途中である場合、以下で詳述するステップ１６１４〜１６２２の処理を行うことなく、ステップ１６２３に移行する。他方、ステップ１６１２でＮｏの場合、即ち、当該ラウンドの開始直前である場合、まず、ステップ１６１４で、特別遊技実行手段１１７２は、特別遊技用タイマ１１７３ａをゼロクリアすると共に所定値（例えば、通常当たりに基づく特別遊技であれば３０秒、突然確率変動当たりや突然時間短縮当たりに基づく特別遊技であれば０．８秒）をセットする。次に、ステップ１６１６で、特別遊技実行手段１１７２は、特別遊技関連情報一時記憶手段１１９１ｃ中の入賞球カウンタをゼロクリアする。そして、ステップ１６１８で、特別遊技実行手段１１７２は、特別遊技関連情報一時記憶手段１１９１ｃ中のラウンド数カウンタに１を加算する。尚、特別遊技関連情報一時記憶手段１１９１ｃに記憶されているラウンド数は、特別遊技開始直後（初期値）は０であり、以後ラウンドを重ねていく毎に１ずつインクリメントされる。次に、ステップ１６２０で、特別遊技実行手段１１７２は、フラグ一時記憶手段１１９１ａ中のラウンド継続フラグをオンにする。そして、ステップ１６２２で、特別遊技実行手段１１７２は、大入賞口２１２０の電動役物２１２２を駆動して大入賞口２１２０を開放し、ステップ１６２３に移行する。
【００７９】
次に、ステップ１６２３で、情報送信手段１２００は、演出表示制御手段２１５０側に現在の遊技状態情報（例えば、現在のラウンド数や遊技球の入賞個数等）を送信する。そして、ステップ１６２４で、特別遊技実行手段１１７２は、特別遊技関連情報一時記憶手段１１９１ｃを参照して当該ラウンドで所定球（例えば１０球）の入賞球があったか否かを判定する。ステップ１６２４でＹｅｓの場合には、ステップ１６２８に移行する。他方、ステップ１６２４でＮｏの場合、ステップ１６２６で、特別遊技実行手段１１７２は、特別遊技用タイマ１１７３ａを参照して所定時間が経過したか否かを判定する。ステップ１６２６でＹｅｓの場合にも、ステップ１６２８に移行し、Ｎｏの場合には、次の処理（賞球払出処理１８００）に移行する。
【００８０】
次に、ステップ１６２８で、特別遊技実行手段１１７２は、大入賞口２１２０の電動役物２１２２の駆動を停止して大入賞口を閉鎖する。そして、ステップ１６３０で、特別遊技実行手段１１７２は、特別遊技用タイマ１１７３ａをリセットする。次に、ステップ１６３２で、特別遊技実行手段１１７２は、フラグ一時記憶手段１１９１ａ中のラウンド継続フラグをオフにする。次に、ステップ１６３４で、特別遊技実行手段１１７２は、特別遊技関連情報一時記憶手段１１９１ｃを参照して、当該ラウンドが最終ラウンド（例えば、通常当たりに基づく特別遊技であれば１５Ｒ、突然確率変動当たりや突然時間短縮当たりに基づく特別遊技であれば２Ｒ）であるか否かを判定する。ステップ１６３４でＹｅｓの場合、ステップ１６３６で、特別遊技実行手段１１７２は、フラグ一時記憶手段１１９１ａ中の特別遊技実行フラグをオフにする。そして、ステップ１６３８で、情報送信手段１２００は、演出表示制御手段２１５０側に特別遊技終了信号を送信する。そして、ステップ１６５０で、遊技制御手段１１００は、後述の特別遊技終了後の遊技状態決定処理を実行し、次の処理（賞球払出処理１８００）に移行する。尚、ステップ１６３４でＮｏの場合にも、次の処理（賞球払出処理１８００）に移行する。
【００８１】
次に、図１２は、図１１におけるステップ１６５０のサブルーチンに係る、特別遊技終了後の遊技状態決定処理のフローチャートである。まず、ステップ１６５６で、特定遊技制御手段１１８０は、確率変動当たりか否か、即ち、特図情報一時記憶手段１１９１ｂを参照して、特図表示部２１３１上で停止した特別図柄が確率変動当たりであるか否かを判定する。ステップ１６５６でＹｅｓの場合、ステップ１６５８及びステップ１６６０で、特定遊技制御手段１１８０は、フラグ一時記憶手段１１９１ａ中の確率変動フラグと時間短縮フラグとを夫々オンにし、次の処理（ステップ１８００の賞球払出処理）に移行する。
【００８２】
他方、ステップ１６５６でＮｏの場合、ステップ１６６２で、特定遊技制御手段１１８０は、時間短縮変動当たりか否か、即ち、特図情報一時記憶手段１１９１ｂを参照して、特図表示部２１３１上で停止した特別図柄が時間短縮変動当たりであるか否かを判定する。ステップ１６６２でＹｅｓの場合、ステップ１６６４で、特定遊技制御手段１１８０は、フラグ一時記憶手段１１９１ａ中の時間短縮フラグをオンする。次に、ステップ１６６６で、特定遊技制御手段１１８０は、時短回数カウンタ１１８１ａに時短回数カウンタ値として所定値（例えば１００）をセットし、次の処理（ステップ１８００の賞球払出処理）に移行する。尚、ステップ１６６２でＮｏの場合にも、次の処理（ステップ１８００の賞球払出処理）に移行する。
【００８３】
次に、図１３〜図３８のフローチャートを参照しながら、本最良形態に係るパチンコ遊技機のサブ基板側での処理の流れを説明する。まず、図１３は、本最良形態に係るパチンコ遊技機における、サブ基板側のメインフローチャートである。まず、ステップ１１０００で、演出表示制御手段２１５０は、後述する装飾図柄表示内容決定処理を実行する。次に、ステップ１２０００で、予告表示制御手段２１５３ｃは、後述する予告内容決定処理を実行する。次に、ステップ１３０００で、演出表示制御手段２１５０は、後述する装飾図柄表示制御処理を実行する。次に、ステップ１４０００で、予告表示制御手段２１５３ｃは、予告表示制御処理を実行する。次に、ステップ１５０００で、予告表示制御手段２１５３ｃは、後述する図柄変動終了後の予告関連処理を実行する。そして、ステップ１６０００で、演出表示制御手段２１５０は、後述する特別遊技中表示制御処理を実行し、ステップ１１０００に戻る処理を繰り返す。以下、各サブルーチンに係る処理について詳述する。
【００８４】
図１４は、図１３でのステップ１１０００のサブルーチンに係る、本発明の特徴的処理の一つである装飾図柄表示内容決定処理のフローチャートである。まず、ステップ１１００２で、装飾図柄表示制御手段２１５３ａは、メイン側情報一時記憶手段２１５１ａを参照し、主制御装置１０００側から新たな図柄情報を受信したか否かを判定する。ステップ１１００２でＹｅｓの場合、ステップ１１００４で、装図表示内容決定手段２１５３ａ−１は、メイン側情報一時記憶手段２１５１ａ内に一時記憶された主制御装置１０００側からの図柄情報に基づき、装図変動内容決定用抽選テーブル２１５３ａ−１−１を参照して、装飾図柄の変動態様と停止図柄を決定すると共に、表示制御手段２１５３は、当該決定情報を演出表示関連情報一時記憶手段２１５３ｄの図柄関連領域に一時記憶する。尚、主制御装置１０００側からの停止図柄・変動態様（即ち、特別図柄の停止図柄・変動態様）と演出表示制御手段２１５０側で決定する停止図柄・変動態様（即ち、装飾図柄の停止図柄・変動態様）とは１対１対応でなくともよく、例えば、演出表示制御手段２１５０側での変動態様の比率を主制御装置１０００側からの一変動態様に対して複数パターン持っていてもよい。
【００８５】
次に、ステップ１１００６〜ステップ１１０１２にかけて、前記ステップ１１００４で決定した変動態様が適切な態様であるか否かを判定し、不適切な場合には変動態様を決め直す処理を実行する。具体的には、本最良形態においては、滞在モードβ（β１、β２）は、前述のように、通常は一回の変動で行うステップアップ予告を複数回に亘って連続的に行う、というモードである。即ち、擬似連続変動にステップアップ予告を搭載した態様と混同させるためのモード（換言すれば、ステップアップ予告を介して、複数変動を一変動に見えるように有機的に連結させるためのモード）ともいえる。したがって、この滞在モードβが選択されている場合には擬似連続変動が選択されないことを本処理で担保している。
【００８６】
そこで、これら処理を詳述すると、まず、ステップ１１００６で、装飾図柄表示制御手段２１５３ａは、演出表示関連情報一時記憶手段２１５３ｄの図柄関連領域を参照し、前記決定した変動態様が擬似連続変動であるか否かを判定する。ステップ１１００６でＹｅｓの場合、ステップ１１００８で、装飾図柄表示制御手段２１５３ａは、演出表示関連情報一時記憶手段２１５３ｄのフラグ領域を参照し、「滞在モードβ１フラグ」又は「滞在モードβ２フラグ」がオフであるか否かを判定する。ステップ１１００８でＹｅｓの場合、ステップ１１０１０で、装飾図柄表示制御手段２１５３ａは、演出表示関連情報一時記憶手段２１５３ｄのフラグ領域内の「擬似連続変動決定フラグ」をオンにする。他方、ステップ１１００８でＮｏの場合、ステップ１１０１２で、装図表示内容決定手段２１５３ａ−１は、演出表示関連情報一時記憶手段２１５３ｄの図柄関連領域に一時記憶されている擬似連続変動に係る変動態様をリセットし、擬似連続変動以外の変動態様を再決定すると共に、装飾図柄表示制御手段２１５３ａは、当該決定情報を演出表示関連情報一時記憶手段２１５３ｄの図柄関連領域に一時記憶し、次の処理（ステップ１１０１４）に移行する。
【００８７】
そして、ステップ１１０１４で、装飾図柄表示制御手段２１５３ａは、演出表示関連情報一時記憶手段２１５３ｄのフラグ領域内の「図柄内容決定フラグ」をオンにし、次の処理（予告内容決定処理１２０００）に移行する。尚、ステップ１１００２でＮｏの場合にも次の処理（予告内容決定処理１２０００）に移行し、ステップ１１００６でＮｏの場合にはステップ１１０１４に移行する。
【００８８】
図１５は、図１３でのステップ１２０００のサブルーチンに係る、本発明の特徴的処理の一つである予告内容決定処理のフローチャートである。まず、ステップ１２００２で、予告表示可否決定・内容決定手段２１５３ｃ−１は、演出表示関連情報一時記憶手段２１５３ｄのフラグ領域を参照し、「図柄内容決定フラグ」がオンであるか否かを判定する。ステップ１２００２でＹｅｓの場合、ステップ１２００４で、予告表示可否決定・内容決定手段２１５３ｃ−１は、演出表示関連情報一時記憶手段２１５３ｄのフラグ領域内の「図柄内容決定フラグ」をオフにする。次に、ステップ１２１００で、予告表示可否決定・内容決定手段２１５３ｃ−１は、後述するステップアップ予告可否仮決定・内容仮決定処理を実行する。次に、ステップ１２２００で、予告表示可否決定・内容決定手段２１５３ｃ−１は、後述する滞在モード移行転落決定・実行処理を実行する。次に、現在、非滞在モードの場合、ステップ１２３００で、予告表示可否決定・内容決定手段２１５３ｃ−１は、後述する非滞在モード下処理を実行し、ステップ１２００６に移行する。他方、現在、滞在モードα１〜α３の場合、ステップ１２４００で、予告表示可否決定・内容決定手段２１５３ｃ−１は、後述する滞在モードα下処理を実行し、ステップ１２００６に移行する。他方、現在、滞在モードβ１〜β２の場合、ステップ１２５００で、予告表示可否決定・内容決定手段２１５３ｃ−１は、後述する滞在モードβ下処理を実行し、ステップ１２００６に移行する。そして、ステップ１２００６で、予告表示制御手段２１５３ｃは、演出表示関連情報一時記憶手段２１５３ｄのフラグ領域内の「予告可否決定・内容決定処理終了フラグ」をオンにし、次の処理（装飾図柄表示制御処理１３０００）に移行する。尚、ステップ１２００２でＮｏの場合にも、次の処理（装飾図柄表示制御処理１３０００）に移行する。
【００８９】
図１６は、図１５でのステップ１２１００のサブルーチンに係る、本発明の特徴的処理の一つであるステップアップ予告可否仮決定・内容仮決定処理のフローチャートである。まず、ステップ１２１０２で、予告表示可否決定・内容決定手段２１５３ｃ−１は、例えば、決定した装飾図柄の停止図柄及び変動態様に基づき、予告表示可否決定・内容決定用抽選テーブル２１５３ｃ−１−１を参照することにより、ステップアップ予告を実行するか否かの仮抽選を行う。次に、ステップ１２１０４で、予告表示可否決定・内容決定手段２１５３ｃ−１は、前記仮抽選（ステップアップ予告可否仮抽選）に当選したか否かを判定する。ステップ１２１０４でＹｅｓの場合、ステップ１２１０６で、予告表示可否決定・内容決定手段２１５３ｃ−１は、例えば、決定した装飾図柄の停止図柄及び変動態様に基づき、予告表示可否決定・内容決定用抽選テーブル２１５３ｃ−１−１を参照することにより、「ＳＨｍａｘ値」を抽選で仮決定する。次に、ステップ１２１０８で、予告表示制御手段２１５３ｃは、前記仮決定した「ＳＨｍａｘ値」を演出表示関連情報一時記憶手段２１５３ｄの予告関連領域（当該変動用）に一時記憶する。そして、ステップ１２１１０で、予告表示制御手段２１５３ｃは、演出表示関連情報一時記憶手段２１５３ｄのフラグ領域内の「ステップアップ予告仮決定フラグ」をオンにし、次の処理（滞在モード・移行転落決定処理１２２００）に移行する。尚、ステップ１２１０４でＮｏの場合にも、次の処理（滞在モード・移行転落決定処理１２２００）に移行する。
【００９０】
図１７は、図１５でのステップ１２２００のサブルーチンに係る、本発明の特徴的処理の一つである滞在モード移行転落決定・実行処理のフローチャートである。まず、ステップ１２２０２で、予告表示可否決定・内容決定手段２１５３ｃ−１は、演出表示関連情報一時記憶手段２１５３ｄのフラグ領域を参照し、「滞在モードフラグ」がオンであるか否かを判定する。ここで、ステップ１２２０２でＹｅｓの場合には、ステップ１２２０４〜１２２０９にかけて、滞在モード転落条件を充足しているか否かの判定と、充足している場合には非滞在モードに転落する処理が実行される（即ち、滞在モード転落決定・実行処理）。他方、ステップ１２２０２でＮｏの場合には、ステップ１２２１０〜１２２５０にかけて、滞在モード移行条件を充足しているか否かの判定と、充足している場合には滞在モードに移行する処理が実行される（即ち、滞在モード移行決定・実行処理）。尚、本最良形態では、当該変動の冒頭に滞在モードの転落決定・実行処理や移行決定・実行処理を実行したが、これには何ら限定されず、当該変動が終了した後に当該処理を実行するように構成してもよい。
【００９１】
そこで、滞在モード転落決定・実行処理をまず説明すると、ステップ１２２０４で、予告表示制御手段２１５３ｃは、演出表示関連情報一時記憶手段２１５３ｄの予告関連領域（滞在モード用）内のｎ値から「１」を減算する。次に、ステップ１２２０６で、予告表示制御手段２１５３ｃは、滞在モード転落条件を充足しているか否かを判定する。ここで、「転落条件」とは、例えば、（１）ｎ値が０になった場合、（２）前回の停止図柄が当たり図柄であった場合、（３）転落抽選を毎回実行するように構成したときには、当該抽選に当選した場合、等を挙げることができる。ステップ１２２０６でＹｅｓの場合、ステップ１２２０８で、予告表示制御手段２１５３ｃは、演出表示関連情報一時記憶手段２１５３ｄのフラグ領域内の「滞在モードフラグ」（正確には、現在オンになっている、滞在モードフラグα１〜α３及びβ１〜β２のいずれか）をオフにする。そして、ステップ１２２０９で、予告表示制御手段２１５３ｃは、演出表示関連情報一時記憶手段２１５３ｄの予告関連領域（滞在モード用）に一時記憶されている情報をリセットし、次の処理（非滞在モード下処理１２３００、滞在モードα下処理１２４００、滞在モードβ下処理１２５００）に移行する。他方、ステップ１２２０６でＮｏの場合にも、次の処理（非滞在モード下処理１２３００、滞在モードα下処理１２４００、滞在モードβ下処理１２５００）に移行する。
【００９２】
次に、滞在モード移行決定・実行処理を説明すると、ステップ１２２１０で、予告表示可否決定・内容決定手段２１５３ｃ−１は、演出表示関連情報一時記憶手段２１５３ｄのフラグ領域を参照し、「ステップアップ予告仮決定フラグ」がオンであるか否かを判定する。ステップ１２２１０でＹｅｓの場合、ステップ１２２１２で、予告表示可否決定・内容決定手段２１５３ｃ−１は、例えば乱数を取得する等して、予告表示可否決定・内容決定用抽選テーブル２１５３ｃ−１−１を参照することにより、モード移行するか否かの抽選を行う。
【００９３】
ここで、まず、ステップ１２２１４〜１２２３４で、滞在モードα移行決定・実行処理を行う。具体的には、ステップ１２２１４で、予告表示可否決定・内容決定手段２１５３ｃ−１は、滞在モードαへの移行に当選したか否かを判定する。ステップ１２２１４でＹｅｓの場合、ステップ１２２１６で、予告表示可否決定・内容決定手段２１５３ｃ−１は、モードα１移行に当選したか否かを判定する。ステップ１２２１６でＹｅｓの場合、ステップ１２２１８で、予告表示制御手段２１５３ｃは、演出表示関連情報一時記憶手段２１５３ｄのフラグ領域内の「滞在モードα１フラグ」をオンにし、ステップ１２２２０に移行する。他方、ステップ１２２１６でＮｏの場合、ステップ１２２２８で、予告表示可否決定・内容決定手段２１５３ｃ−１は、滞在モードα２移行に当選したか否かを判定する。ステップ１２２２８でＹｅｓの場合、ステップ１２２３０で、予告表示制御手段２１５３ｃは、演出表示関連情報一時記憶手段２１５３ｄのフラグ領域内の「滞在モードα２フラグ」をオンにし、ステップ１２２２０に移行する。他方、ステップ１２２２８でＮｏの場合、ステップ１２２３２で、予告表示制御手段２１５３ｃは、演出表示関連情報一時記憶手段２１５３ｄのフラグ領域内の「滞在モードα３フラグ」をオンにする。そして、ステップ１２２３４で、予告表示制御手段２１５３ｃは、演出表示関連情報一時記憶手段２１５３ｄの予告関連領域（滞在モード用）内のｍ値に「０」をセットし、ステップ１２２２０に移行する。尚、他の滞在モードα（α１及びα２）と異なり、滞在モードα３のときに「ｍ値」をセットする理由は、前述のように、他の滞在モードα下では同一段階の表示態様は常に同一であるのに対して、滞在モードα３下では同一段階であってもｍ値に応じてその表示態様が異なるからである。
【００９４】
そして、各滞在モードαのフラグセットが完了した後、ステップ１２２２０で、予告表示制御手段２１５３ｃは、演出表示関連情報一時記憶手段２１５３ｄの予告関連領域（当該変動用）に一時記憶されている「ＳＨｍａｘ値」を、予告関連領域（滞在モード用）の「Ｓαｍａｘ値」として一時記憶する。即ち、滞在モードαに突入した場合、当該突入時に表示されたステップアップ予告（これがＳＨｍａｘ値）が、次変動の冒頭から固定的に表示されるＴＨ予告（これがＳαｍａｘ値）となる。尚、滞在モードα２に関しては、当該モード中にＴＨ予告を超えるステップアップ予告が登場した場合には、当該超えた分Ｓαｍａｘ値が更新される。次に、ステップ１２２２２で、予告表示制御手段２１５３ｃは、演出表示関連情報一時記憶手段２１５３ｄの演出表示関連情報一時記憶手段２１５３ｄの予告関連領域（滞在モード用）内のｎ値としてＸ（例えば２０）をセットする。尚、滞在モードαのｎ値は、固定値をセットする形であってもよく、抽選で回数を決定してセットする形であってもよい。ここで、抽選で回数を決定する場合、予告表示制御手段２１５３ｃは、抽選用乱数を取得すると共に、当該乱数に基づき、滞在回数決定用テーブルを参照して、滞在モードαの滞在回数を決定するための滞在回数決定手段を更に有することになる。
【００９５】
次に、ステップ１２２３６〜１２２５０で、滞在モードβ移行決定・実行処理を行う。  具体的には、ステップ１２２１４でＮｏの場合、ステップ１２２３６で、予告表示可否決定・内容決定手段２１５３ｃ−１は、滞在モードβ移行に当選したか否かを判定する。ステップ１２２３６でＹｅｓの場合、ステップ１２２３８で、予告表示可否決定・内容決定手段２１５３ｃ−１は、滞在モードβ１移行に当選したか否かを判定する。ステップ１２２３８でＹｅｓの場合、ステップ１２２４０で、予告表示制御手段２１５３ｃは、演出表示関連情報一時記憶手段２１５３ｄのフラグ領域内の「滞在モードβ１フラグ」をオンにする。他方、ステップ１２２３８でＮｏの場合、ステップ１２２５０で、予告表示制御手段２１５３ｃは、演出表示関連情報一時記憶手段２１５３ｄのフラグ領域内の「滞在モードβ２フラグ」をオンする。
【００９６】
そして、ステップ１２２４２で、予告表示制御手段２１５３ｃは、演出表示関連情報一時記憶手段２１５３ｄの予告関連領域（当該変動用）に一時記憶されている「ＳＨｍａｘ値」を、予告関連領域（滞在モード用）の「ｎ値」及び「ｎ０値」としてセットする。ここで、本最良形態では、当該モード突入の契機となったステップアップ予告の「ＳＨｍａｘ値」を利用して、当該滞在モードの継続回数と、各回におけるステップアップ予告の内容を決定している。例えば、「ＳＨｍａｘ値」が３（即ち、第三段階まで発展するステップアップ予告に仮当選）である場合、当該滞在モードの継続回数も３とする。更には、当該滞在モードがβ１である場合、当該滞在モードの１回目変動ではＳ１のみ、２回目変動ではＳ２まで発展、３回目変動ではＳ３まで発展する、という内容となり、当該滞在モードがβ２である場合は、抽選で決定した「Ｓβｍａｘ値」が２であるときには、当該滞在モードの１回目変動ではＳ２まで、２回目変動では発展なし（Ｓ１及びＳ２が冒頭から表示）、３回目変動ではＳ３まで発展する、という内容となる。この際、継続回数のパラメータとなるのがｎであり、各変動の際にどこまでステップアップ予告を行うのかのパラメータとなるのがｎ及びｎ０である（これについては後の処理で詳述する）。
【００９７】
次に、ステップ１２２４４で、予告表示制御手段２１５３ｃは、演出表示関連情報一時記憶手段２１５３ｄの予告関連領域（当該変動用）内の「ＳＨｍａｘ値」をクリアする。この理由は以下の通りである。当該滞在モードでは、前述のようにｎ及びｎ０を用いて、各変動毎に、当該変動時の「ＳＨｍａｘ値」を決定する。例えば、当該滞在モードの初回は、後述するステップ１２５０８（図２６参照）からも分かるように、「１」となる。このように、ステップアップ予告可否仮決定・内容仮決定処理１２１００で決定した「ＳＨｍａｘ値」は、単にｎ及びｎ０を決定するためだけに使用するため、ｎ及びｎ０を決定した後は不要となるからである。
【００９８】
次に、ステップ１２２４６で、予告表示可否決定・内容決定手段２１５３ｃ−１は、演出表示関連情報一時記憶手段２１５３ｄのフラグ領域を参照し、「滞在モードβ２フラグ」がオンであるか否かを判定する。ステップ１２２４６でＹｅｓの場合、ステップ１２２４８で、予告表示可否決定・内容決定手段２１５３ｃ−１は、演出表示関連情報一時記憶手段２１５３ｄの予告関連領域（滞在モード用）内の「Ｓβｍａｘ値」として、「ｎ０」値未満の値をセットし、ステップ１２２２４に移行する。尚、「Ｓβｍａｘ値」は、予め定められた数値をセットしても、抽選で決定した数値をセットしてもよい。他方、ステップ１２２４６でＮｏの場合には、ステップ１２２２４に移行する。
【００９９】
そして、滞在モードα移行決定・実行処理（ステップ１２２１４〜１２２３４）及び滞在モードβ移行決定・実行処理（ステップ１２２３６〜１２２５０）が終了した後、ステップ１２２２４及びステップ１２２２６で、予告表示制御手段２１５３ｃは、演出表示関連情報一時記憶手段２１５３ｄのフラグ領域内の「ステップアップ予告決定フラグ」をオンにすると共に「ステップアップ予告仮決定フラグ」をオフにし、次の処理（非滞在モード下処理１２３００、滞在モードα下処理１２４００、滞在モードβ下処理１２５００）に移行する。尚、ステップ１２２１０及びステップ１２２３６でＮｏの場合にも、次の処理（非滞在モード下処理１２３００、滞在モードα下処理１２４００、滞在モードβ下処理１２５００）に移行する。
【０１００】
図１８は、図１５でのステップ１２３００のサブルーチンに係る、本発明の特徴的処理の一つである非滞在モード下処理のフローチャートである。まず、ステップ１２３１０で、予告表示可否決定・内容決定手段２１５３ｃ−１は、後述するステップアップ予告可否決定・内容決定処理を実行する。そして、ステップ１２３６０で、予告表示可否決定・内容決定手段２１５３ｃ−１は、後述する擬似連続演出決定時における、ステップアップ予告可否決定・内容決定処理を実行し、次の処理（図１５のステップ１２００６）に移行する。
【０１０１】
図１９は、図１８でのステップ１２３１０のサブルーチンに係る、本発明の特徴的処理の一つであるステップアップ予告可否決定・内容決定処理のフローチャートである。まず、ステップ１２３１２で、予告表示可否決定・内容決定手段２１５３ｃ−１は、演出表示関連情報一時記憶手段２１５３ｄのフラグ領域を参照し、「ステップアップ予告仮決定フラグ」がオンであるか否かを判定する。ステップ１２３１２でＹｅｓの場合、ステップ１２３１４及びステップ１２３１６で、予告表示可否決定・内容決定手段２１５３ｃ−１は、演出表示関連情報一時記憶手段２１５３ｄのフラグ領域内の「ステップアップ予告決定フラグ」をオンにすると共に「ステップアップ予告仮決定フラグ」をオフにし、次の処理（擬似連続演出決定時における、ステップアップ予告可否決定・内容決定処理１２３６０）に移行する。尚、ステップ１２３１２でＮｏの場合にも、次の処理（擬似連続演出決定時における、ステップアップ予告可否決定・内容決定処理１２３６０）に移行する。このように、非滞在モード下では、仮決定されたステップアップ予告が、そのまま確定することになる。
【０１０２】
図２０は、図１８でのステップ１２３６０のサブルーチンに係る、本発明の特徴的処理の一つである擬似連続演出決定時における、ステップアップ予告可否決定・内容決定処理のフローチャートである。まず、ステップ１２３６２で、予告表示可否決定・内容決定手段２１５３ｃ−１は、演出表示関連情報一時記憶手段２１５３ｄのフラグ領域を参照し、「ステップアップ予告決定フラグ」がオンであるか否かを判定する。ステップ１２３６２でＹｅｓの場合、ステップ１２３６４で、予告表示可否決定・内容決定手段２１５３ｃ−１は、演出表示関連情報一時記憶手段２１５３ｄのフラグ領域を参照し、「擬似連続変動決定フラグ」がオンであるか否かを判定する。ステップ１２３６４でＹｅｓの場合、ステップ１２３６６で、予告表示可否決定・内容決定手段２１５３ｃ−１は、乱数を取得した上で、予告表示可否決定・内容決定用抽選テーブル２１５３ｃ−１−１を参照することにより、ステップアップ擬似連続予告を実行するか否かの抽選を行う。次に、ステップ１２３６８で、予告表示可否決定・内容決定手段２１５３ｃ−１は、前記抽選に当選したか否かを判定する。ステップ１２３６８でＹｅｓの場合、ステップ１２３７０で、予告表示可否決定・内容決定手段２１５３ｃ−１は、演出表示関連情報一時記憶手段２１５３ｄのフラグ領域内の「ステップアップ擬似連続予告フラグ」をオンにする。そして、ステップ１２３７２で、予告表示可否決定・内容決定手段２１５３ｃ−１は、乱数を取得した上で、演出表示関連情報一時記憶手段２１５３ｄの図柄関連領域内の「擬似連続変動数」及び予告関連領域（当該変動用）内の「ＳＨｍａｘ値」に基づき、予告表示可否決定・内容決定用抽選テーブル２１５３ｃ−１−１を参照することにより、予告パターンを抽選で決定し、次の処理（図１５のステップ１２００６）に移行する。尚、予告パターンについては、作用の説明の欄で例示する。他方、ステップ１２３６８でＮｏの場合、ステップ１２３７４で、予告表示可否決定・内容決定手段２１５３ｃ−１は、演出表示関連情報一時記憶手段２１５３ｄのフラグ領域内の「ステップアップ予告決定フラグ」をオフにする。そして、ステップ１２３７６で、予告表示可否決定・内容決定手段２１５３ｃ−１は、演出表示関連情報一時記憶手段２１５３ｄの予告関連領域（当該変動用）内の「ＳＨｍａｘ値」をクリアし、次の処理（図１５のステップ１２００６）に移行する。このように、本最良形態では、装飾図柄の擬似連続変動が実行される場合には、（１）擬似ステップアップ連続予告を行う、（２）擬似ステップアップ連続予告を行わない、のいずれかの選択しかなされず、（３）擬似連続変動の内、いずれか一の擬似変動において、ステップアップ予告を行う、という決定は行わないように構成されている。但し、そのような決定を行うように構成してもよい。尚、ステップ１２３６２及びステップ１２３６４でＮｏの場合にも、次の処理（図１５のステップ１２００６）に移行する。
【０１０３】
図２１は、図１５でのステップ１２４００のサブルーチンに係る、本発明の特徴的処理の一つである滞在モードα下処理のフローチャートである。まず、ステップ１２４１０で、予告表示可否決定・内容決定手段２１５３ｃ−１は、後述するステップアップ予告可否決定・内容決定処理を実行する。そして、ステップ１２４６０で、予告表示可否決定・内容決定手段２１５３ｃ−１は、後述する擬似連続演出決定時における、ステップアップ予告可否決定・内容決定処理を実行し、次の処理（図１５のステップ１２００６）に移行する。
【０１０４】
図２２は、図２１でのステップ１２４１０のサブルーチンに係る、本発明の特徴的処理の一つであるステップアップ予告可否決定・内容決定処理のフローチャートである。まず、ステップ１２４１２で、予告表示可否決定・内容決定手段２１５３ｃ−１は、演出表示関連情報一時記憶手段２１５３ｄのフラグ領域を参照し、「ステップアップ予告仮決定フラグ」がオンであるか否かを判定する。ステップ１２４１２でＹｅｓの場合、ステップ１２４１４で、予告表示可否決定・内容決定手段２１５３ｃ−１は、演出表示関連情報一時記憶手段２１５３ｄのフラグ領域を参照し、「滞在モードα１フラグ」又は「滞在モードフラグα２」がオンであるか否かを判定する。ステップ１２４１４でＹｅｓの場合、ステップ１２４２０で、予告表示可否決定・内容決定手段２１５３ｃ−１は、後述する滞在モードα１又はα２時における、ステップアップ予告可否決定・内容決定処理を実行し、次の処理（擬似連続演出決定時における、ステップアップ予告可否決定・内容決定処理１２４６０）に移行する。他方、ステップ１２４１４でＮｏの場合、ステップ１２４４０で、予告表示可否決定・内容決定手段２１５３ｃ−１は、後述する滞在モードα３時における、ステップアップ予告可否決定・内容決定処理を実行し、次の処理（擬似連続演出決定時における、ステップアップ予告可否決定・内容決定処理１２４６０）に移行する。尚、ステップ１２４１２でＮｏの場合にも、次の処理（擬似連続演出決定時における、ステップアップ予告可否決定・内容決定処理１２４６０）に移行する。
【０１０５】
図２３は、図２２でのステップ１２４２０のサブルーチンに係る、本発明の特徴的処理の一つである擬似連続演出決定時における、滞在モードα１又はα２時における、ステップアップ予告可否決定・内容決定処理のフローチャートである。まず、ステップ１２４２２で、予告表示可否決定・内容決定手段２１５３ｃ−１は、演出表示関連情報一時記憶手段２１５３ｄの予告関連領域（当該変動用及び滞在モード用）を参照し、「ＳＨｍａｘ」値＞「Ｓαｍａｘ」値であるか否かを判定する。ステップ１２４２２でＹｅｓの場合、ステップ１２４２４で、予告表示可否決定・内容決定手段２１５３ｃ−１は、演出表示関連情報一時記憶手段２１５３ｄのフラグ領域内の「ステップアップ予告決定フラグ」をオンにする。そして、ステップ１２４２６で、予告表示可否決定・内容決定手段２１５３ｃ−１は、演出表示関連情報一時記憶手段２１５３ｄのフラグ領域内の「ステップアップ予告仮決定フラグ」をオフにし、次の処理（擬似連続演出決定時における、ステップアップ予告可否決定・内容決定処理１２４６０）に移行する。他方、ステップ１２４２２でＮｏの場合、ステップ１２４２８で、予告表示可否決定・内容決定手段２１５３ｃ−１は、演出表示関連情報一時記憶手段２１５３ｄの予告関連領域（当該変動用）内の「ＳＨｍａｘ」値をクリアし、ステップ１２４２６に移行する。即ち、ステップアップ予告決定フラグをオンにすることなく、ステップアップ予告仮決定フラグをオフにする処理を実行する。
【０１０６】
図２４は、図２２でのステップ１２４４０のサブルーチンに係る、本発明の特徴的処理の一つである滞在モードα３時における、ステップアップ予告可否決定・内容決定処理のフローチャートである。まず、ステップ１２４４２で、予告表示可否決定・内容決定手段２１５３ｃ−１は、演出表示関連情報一時記憶手段２１５３ｄの予告関連領域（当該変動用及び滞在モード用）を参照し、「ＳＨｍａｘ」値＞「Ｓαｍａｘ」値であるか否かを判定する。ステップ１２４４２でＹｅｓの場合、ステップ１２４４４で、予告表示可否決定・内容決定手段２１５３ｃ−１は、演出表示関連情報一時記憶手段２１５３ｄのフラグ領域内の「ステップアップ予告決定フラグ」をオンにする。そして、ステップ１２４４６で、予告表示可否決定・内容決定手段２１５３ｃ−１は、演出表示関連情報一時記憶手段２１５３ｄのフラグ領域内の「ステップアップ予告仮決定フラグ」をオフにし、次の処理（擬似連続演出決定時における、ステップアップ予告可否決定・内容決定処理１２４６０）に移行する。他方、ステップ１２４４２でＮｏの場合、ステップ１２４４８で、予告表示可否決定・内容決定手段２１５３ｃ−１は、演出表示関連情報一時記憶手段２１５３ｄの予告関連領域（当該変動用）内の「ＳＨｍａｘ」値をクリアする。次に、ステップ１２４５０で、予告表示可否決定・内容決定手段２１５３ｃ−１は、演出表示関連情報一時記憶手段２１５３ｄの予告関連領域（滞在モード用）内のｍ値に「１」を加算し、ステップ１２４４６に移行する。即ち、ステップアップ予告決定フラグをオンにすることなく、ステップアップ予告仮決定フラグをオフにする処理を実行する。但し、ステップアップ予告決定フラグをオンにしない、即ち、当該「ＳＨｍａｘ」値（≦「Ｓαｍａｘ」）に係るステップアップ予告表示を単にキャンセルするというだけでなく、当該ステップアップ予告に仮当選したことを受けて「ｍ値」を更新する点で、滞在モードα１又はα２時とは異なる。
【０１０７】
図２５は、図２１でのステップ１２４６０のサブルーチンに係る、本発明の特徴的処理の一つである擬似連続演出決定時における、ステップアップ予告可否決定・内容決定処理のフローチャートである。まず、ステップ１２４６２で、予告表示可否決定・内容決定手段２１５３ｃ−１は、演出表示関連情報一時記憶手段２１５３ｄのフラグ領域を参照し、「ステップアップ予告決定フラグ」がオンであるか否かを判定する。ステップ１２４６２でＹｅｓの場合、ステップ１２４６４で、予告表示可否決定・内容決定手段２１５３ｃ−１は、演出表示関連情報一時記憶手段２１５３ｄのフラグ領域を参照し、「擬似連続変動決定フラグ」がオンであるか否かを判定する。ステップ１２４６４でＹｅｓの場合、ステップ１２４６６で、予告表示可否決定・内容決定手段２１５３ｃ−１は、乱数を取得した上で、予告表示可否決定・内容決定用抽選テーブル２１５３ｃ−１−１を参照することにより、ステップアップ擬似連続予告を実行するか否かの抽選を行う。次に、ステップ１２４６８で、予告表示可否決定・内容決定手段２１５３ｃ−１は、前記抽選に当選したか否かを判定する。ステップ１２４６８でＹｅｓの場合、ステップ１２４７０で、予告表示可否決定・内容決定手段２１５３ｃ−１は、演出表示関連情報一時記憶手段２１５３ｄのフラグ領域内の「ステップアップ擬似連続予告フラグ」をオンにする。そして、ステップ１２４７２で、予告表示可否決定・内容決定手段２１５３ｃ−１は、乱数を取得した上で、演出表示関連情報一時記憶手段２１５３ｄの図柄関連領域内の「擬似連続変動数」、予告関連領域（当該変動用）内の「ＳＨｍａｘ値」及び予告関連領域（滞在モード用）内の「Ｓαｍａｘ値」に基づき、予告表示可否決定・内容決定用抽選テーブル２１５３ｃ−１−１を参照することにより、予告パターンを抽選で決定し、次の処理（図１５のステップ１２００６）に移行する。他方、ステップ１２４６８でＮｏの場合、ステップ１２４７４で、予告表示可否決定・内容決定手段２１５３ｃ−１は、演出表示関連情報一時記憶手段２１５３ｄのフラグ領域内の「ステップアップ予告決定フラグ」をオフにする。次に、ステップ１２４７６で、予告表示可否決定・内容決定手段２１５３ｃ−１は、演出表示関連情報一時記憶手段２１５３ｄの予告関連領域（当該変動用）内の「ＳＨｍａｘ値」をクリアし、次の処理（図１５のステップ１２００６）に移行する。尚、ステップ１２４６２及びステップ１２４６４でＮｏの場合にも、次の処理（図１５のステップ１２００６）に移行する。
【０１０８】
図２６は、図１５でのステップ１２５００のサブルーチンに係る、本発明の特徴的処理の一つである滞在モードβ下処理のフローチャートである。まず、ステップ１２５０２〜ステップ１２５０６にかけて、滞在モードβ下でステップアップ予告が仮決定された場合には、当該仮決定を強制的にキャンセルする処理を実行する。これは、前述のように、滞在モードβの存在理由が、ステップアップ予告を複数変動に亘って擬似的に行うものであるからである（即ち、複数変動に亘って擬似的にステップアップ予告を行っている最中に、本当のステップアップ予告が介在してしまうと、滞在モードβに突入した意味が希薄となるからである）。そこで、本処理を具体的に説明すると、まず、ステップ１２５０２で、予告表示可否決定・内容決定手段２１５３ｃ−１は、演出表示関連情報一時記憶手段２１５３ｄのフラグ領域を参照し、「ステップアップ予告仮決定フラグ」がオンであるか否かを判定する。ステップ１２５０２でＹｅｓの場合、ステップ１２５０４で、予告表示可否決定・内容決定手段２１５３ｃ−１は、演出表示関連情報一時記憶手段２１５３ｄの予告関連領域（当該変動用）内の「ＳＨｍａｘ」値をクリアする。次に、ステップ１２５０６で、予告表示可否決定・内容決定手段２１５３ｃ−１は、演出表示関連情報一時記憶手段２１５３ｄのフラグ領域内の「ステップアップ予告仮決定フラグ」をオフにする。尚、ステップ１２５０２でＮｏの場合には、ステップ１２５０８に移行する。
【０１０９】
次に、ステップ１２５０８〜ステップ１２５２２にかけて、当該変動において実行するステップアップ予告の内容を決定する処理を実行する。まず、ステップ１２５０８で、予告表示可否決定・内容決定手段２１５３ｃ−１は、演出表示関連情報一時記憶手段２１５３ｄの予告関連領域（滞在モード用）を参照し、演出表示関連情報一時記憶手段２１５３ｄの予告関連領域（当該変動用）内の「ＳＨｍａｘ値」に、「ｎ０−ｎ＋１」をセットする。そして、ステップ１２５１０で、予告表示可否決定・内容決定手段２１５３ｃ−１は、演出表示関連情報一時記憶手段２１５３ｄのフラグ領域を参照し、「滞在モードβ２フラグ」がオンであるか否かを判定する。
【０１１０】
ここで、ステップ１２５１０でＮｏの場合、即ち、滞在モードフラグβ１フラグがオンである場合には、ステップ１２５０８で決定した「ＳＨｍａｘ値」をそのまま確定させるべく、以後の処理を実行しないでステップ１２５１６に移行する。そして、ステップ１２５１６で、予告表示可否決定・内容決定手段２１５３ｃ−１は、演出表示関連情報一時記憶手段２１５３ｄのフラグ領域内の「ステップアップ予告決定フラグ」をオンにし、次の処理（図１５のステップ１２００６）に移行する。
【０１１１】
他方、ステップ１２５１０でＹｅｓの場合、即ち、滞在モードβ２フラグがオンである場合には、ステップ１２５１２で、予告表示可否決定・内容決定手段２１５３ｃ−１は、ｎとｎ０が同一でないか否か、即ち、当該モードに突入して初回の図柄変動でないか否かを判定する。ここで、ステップ１２５１２でＮｏの場合、即ち、当該モードに突入して初回の図柄変動である場合には、ステップ１２５１８で、予告表示可否決定・内容決定手段２１５３ｃ−１は、演出表示関連情報一時記憶手段２１５３ｄの予告関連領域（滞在モード用）にアクセスし、演出表示関連情報一時記憶手段２１５３ｄの予告関連領域（当該変動用）内の「ＳＨｍａｘ値」に、「Ｓβｍａｘ値」をセットする。即ち、これにより、当該モードに突入して初回の図柄変動においては、「Ｓβｍａｘ値」まで発展するステップアップ予告が表示されることになる（そして以後の変動に際しては、「Ｓβｍａｘ値」に対応したＴＨ予告が固定的に表示されることになる）。他方、ステップ１２５１２でＹｅｓの場合、ステップ１２５１４で、予告表示可否決定・内容決定手段２１５３ｃ−１は、演出表示関連情報一時記憶手段２１５３ｄの予告関連領域（当該変動用及び滞在モード用）を参照し、「ＳＨｍａｘ」値＞「Ｓβｍａｘ」値であるか否かを判定する。ここで、ステップ１２５１４でＹｅｓの場合には、ステップ１２５１６に移行し、ステップ１２５０８で決定した「ＳＨｍａｘ値」が確定する。他方、ステップ１２５１４でＮｏの場合には、ステップ１２５２０で、予告表示可否決定・内容決定手段２１５３ｃ−１は、演出表示関連情報一時記憶手段２１５３ｄの予告関連領域（当該変動用）中の「ＳＨｍａｘ値」をクリア（換言すれば、ステップ１２５０８で一旦決定した「ＳＨｍａｘ値」をキャンセル）する。そして、ステップ１２５２２で、予告表示可否決定・内容決定手段２１５３ｃ−１は、演出表示関連情報一時記憶手段２１５３ｄのフラグ領域内の「ステップアップ予告決定フラグ」をオフにし、次の処理（図１５のステップ１２００６）に移行する。
【０１１２】
図２７は、図１３でのステップ１３０００のサブルーチンに係る、本発明の特徴的処理の一つである装飾図柄表示制御処理のフローチャートである。まず、ステップ１３００２で、装飾図柄表示制御手段２１５３ａは、演出表示関連情報一時記憶手段２１５３ｄのフラグ領域を参照し、「図柄変動中フラグ」がオフであるか否かを判定する。ステップ１３００２でＹｅｓの場合、ステップ１３００４で、装飾図柄表示制御手段２１５３ａは、演出表示関連情報一時記憶手段２１５３ｄのフラグ領域を参照し、「予告可否決定・内容決定処理終了フラグ」がオンであるか否かを判定する。ステップ１３００４でＹｅｓの場合、ステップ１３００６で、装飾図柄表示制御手段２１５３ａは、演出表示関連情報一時記憶手段２１５３ｄのフラグ領域内の「図柄変動中フラグ」をオンにする。次に、ステップ１３００８で、装飾図柄表示制御手段２１５３ａは、演出表示関連情報一時記憶手段２１５３ｄのフラグ領域内の「予告可否決定・内容決定処理終了フラグ」をオフにする。次に、ステップ１３０１０で、装飾図柄表示制御手段２１５３ａは、演出表示関連情報一時記憶手段２１５３ｄのフラグ領域を参照し、「擬似連続変動決定フラグ」がオフであるか否かを判定する。ステップ１３０１０でＹｅｓの場合、ステップ１３０１２で、装飾図柄表示制御手段２１５３ａは、演出表示関連情報一時記憶手段２１５３ｄの図柄関連領域内に一時記憶された決定内容に従い、演出表示装置２１４０上で装飾図柄の変動表示を開始する。次に、ステップ１３０１４で、装飾図柄表示制御手段２１５３ａは、メイン側情報一時記憶手段２１５１ａを参照し、主制御装置１０００側から確定表示コマンドを受信したか否かを判定する。ステップ１３０１４でＹｅｓの場合、ステップ１３０１６で、装飾図柄表示制御手段２１５３ａは、演出表示関連情報一時記憶手段２１５３ｄの図柄関連領域内に一時記憶された決定内容（停止図柄）に従い、装飾図柄の停止図柄を確定表示する。次に、ステップ１３０１８で、装飾図柄表示制御手段２１５３ａは、演出表示関連情報一時記憶手段２１５３ｄのフラグ領域内の「図柄変動中フラグ」をオフにする。そして、ステップ１３０２０で、装飾図柄表示制御手段２１５３ａは、演出表示関連情報一時記憶手段２１５３ｄのフラグ領域内の「図柄変動終了フラグ」をオンにし、次の処理（予告表示制御処理１４０００）に移行する。他方、ステップ１３０１４でＮｏの場合にも、次の処理（予告表示制御処理１４０００）に移行する。
【０１１３】
他方、ステップ１３０１０でＮｏの場合、ステップ１３０２２〜１３０４０で、装飾図柄の擬似連続変動の表示制御処理を実行する。具体的には、まず、ステップ１３０２２で、装飾図柄表示制御手段２１５３ａは、演出表示関連情報一時記憶手段２１５３ｄのフラグ領域内の「擬似連続変動継続フラグ」をオンにする。次に、ステップ１３０２４で、装飾図柄表示制御手段２１５３ａは、演出表示関連情報一時記憶手段２１５３ｄの図柄関連領域内のｋ値に「１」をセットする。次に、ステップ１３０２６で、装飾図柄表示制御手段２１５３ａは、演出表示関連情報一時記憶手段２１５３ｄのフラグ領域内の「擬似連続変動決定フラグ」をオフにする。次に、ステップ１３０２８で、装飾図柄表示制御手段２１５３ａは、擬似変動用タイマ（図示しない）をセット（スタート）する。次に、ステップ１３０３０で、装飾図柄表示制御手段２１５３ａは、演出表示関連情報一時記憶手段２１５３ｄの図柄関連領域内に一時記憶された決定内容に従い、演出表示装置２１４０上で第ｋ回目の装飾図柄の擬似変動表示を開始する。次に、ステップ１３０３２で、装飾図柄表示制御手段２１５３ａは、擬似変動用タイマを参照し、第ｋ回目擬似変動の終了時間に到達したか否かを判定する。ステップ１３０３２でＹｅｓの場合、ステップ１３０３４で、装飾図柄表示制御手段２１５３ａは、演出表示装置２１４０上に、演出表示関連情報一時記憶手段２１５３ｄの図柄関連領域内に一時記憶された決定内容（第ｋ回目）に従い、第ｋ回目の装飾図柄の擬似停止図柄を表示する。次に、ステップ１３０３６で、装飾図柄表示制御手段２１５３ａは、演出表示関連情報一時記憶手段２１５３ｄの図柄関連領域を参照し、「ｋ＝ｋｆｉｎ」であるか否かを判定する。ステップ１３０３６でＹｅｓの場合、ステップ１３０３８で、装飾図柄表示制御手段２１５３ａは、演出表示関連情報一時記憶手段２１５３ｄのフラグ領域内の「擬似連続変動継続フラグ」をオフにし、ステップ１３０１４に移行する。他方、ステップ１３０３６でＮｏの場合、ステップ１３０４０で、装飾図柄表示制御手段２１５３ａは、演出表示関連情報一時記憶手段２１５３ｄの図柄関連領域内のｋ値に「１」を加算し、ステップ１３０２８に移行する。
【０１１４】
尚、ステップ１３００２でＮｏの場合、ステップ１３０４２で、装飾図柄表示制御手段２１５３ａは、演出表示関連情報一時記憶手段２１５３ｄのフラグ領域を参照し、「擬似連続変動継続フラグ」がオフであるか否かを判定し、Ｙｅｓの場合にはステップ１３０１４に移行し、Ｎｏの場合にはステップ１３０３２に移行する。また、ステップ１３００４でＮｏの場合にはステップ１３０１０に移行し、ステップ１３０３２でＮｏの場合にはステップ１３０１４に移行する。
【０１１５】
図２８は、図１３でのステップ１４０００のサブルーチンに係る、本発明の特徴的処理の一つである予告表示制御処理のフローチャートである。まず、ステップ１４００２で、予告表示制御手段２１５３ｃは、演出表示関連情報一時記憶手段２１５３ｄのフラグ領域を参照し、「図柄変動中フラグ」がオンであるか否かを判定する。ステップ１４００２でＹｅｓの場合、現在、非滞在モードであるときにはステップ１４１００で、予告表示制御手段２１５３ｃは、後述する非滞在モード下処理を実行し、次の処理（図柄変動終了後の予告関連処理１５０００）に移行する。他方、現在、モードαであるときにはステップ１４２００で、予告表示制御手段２１５３ｃは、後述する滞在モードα下処理を実行し、次の処理（図柄変動終了後の予告関連処理１５０００）に移行する。他方、現在、モードβであるときにはステップ１４３００で、予告表示制御手段２１５３ｃは、後述する滞在モードβ下処理を実行し、次の処理（図柄変動終了後の予告関連処理１５０００）に移行する。尚、ステップ１４００２でＮｏの場合にも、次の処理（図柄変動終了後の予告関連処理１５０００）に移行する。
【０１１６】
図２９は、図２８でのステップ１４１００のサブルーチンに係る、本発明の特徴的処理の一つである非滞在モード下処理のフローチャートである。まず、ステップ１４１０２で、予告表示制御手段２１５３ｃは、演出表示関連情報一時記憶手段２１５３ｄのフラグ領域を参照し、「ステップアップ予告決定フラグ」がオンであるか否かを判定する。ステップ１４１０２でＹｅｓの場合、ステップ１４１０４で、予告表示制御手段２１５３ｃは、演出表示関連情報一時記憶手段２１５３ｄのフラグ領域を参照し、「ステップアップ擬似連続予告フラグ」がオフであるか否かを判定する。ステップ１４１０４でＹｅｓの場合、ステップ１４１１０で、予告表示制御手段２１５３ｃは、後述する通常ステップアップ予告表示処理を実行し、ステップ１４１０６に移行する。他方、ステップ１４１０４でＮｏの場合、ステップ１４１６０で、予告表示制御手段２１５３ｃは、後述する擬似連続ステップアップ予告表示処理を実行し、ステップ１４１０６に移行する。次に、ステップ１４１０６で、予告表示制御手段２１５３ｃは、演出表示関連情報一時記憶手段２１５３ｄのフラグ領域を参照し、「図柄変動中フラグ」がオフであるか否かを判定する。ステップ１４１０６でＹｅｓの場合、ステップ１４１０８で、予告表示制御手段２１５３ｃは、演出表示関連情報一時記憶手段２１５３ｄの予告関連領域（当該変動用）内の「ＳＨ１」から「ＳＨｍａｘ」をクリアして現在表示されているステップアップ予告を消去し、次の処理（図柄変動終了後の予告関連処理１５０００）に移行する。尚、ステップ１４１０２及びステップ１４１０６でＮｏの場合にも、次の処理（図柄変動終了後の予告関連処理１５０００）に移行する。
【０１１７】
尚、本最良形態では、変動終了後に「ＳＨ１」から「ＳＨｍａｘ」をクリアするよう構成している（ステップ１４１０６及びステップ１４１０８）が、図柄が変動していない状況下でも当該モードに滞在している間は「ＳＨ１」から「ＳＨｍａｘ」が継続表示されるように構成してもよい（即ち、ステップ１４１０６及びステップ１４１０８の処理を実行しない）。同様に、後述する図３２のステップ１４２１６及びステップ１４２１８と、図３５のステップ１４３１６及びステップ１４３１８とに関しても、これら処理を実行せず、図柄が変動していない状況下でもモードに滞在している間は「ＳＨ１」から「ＳＨｍａｘ」が継続表示されるように構成してもよい。
【０１１８】
図３０は、図２９でのステップ１４１１０のサブルーチンに係る、本発明の特徴的処理の一つである通常ステップアップ予告表示処理のフローチャートである。はじめに、ステップ１４１１２〜ステップ１４１１８にかけて、当該変動における初期設定を行う。具体的には、まず、ステップ１４１１２で、予告表示制御手段２１５３ｃは、演出表示関連情報一時記憶手段２１５３ｄのフラグ領域を参照し、「通常ステップアップ予告継続フラグ」がオフであるか否かを判定する。ステップ１４１１２でＹｅｓの場合、ステップ１４１１４で、予告表示制御手段２１５３ｃは、演出表示関連情報一時記憶手段２１５３ｄの予告関連領域内のｊ値に「１」をセットする。次に、ステップ１４１１６で、予告表示制御手段２１５３ｃは、ステップアップ予告用タイマ（図示しない）をセット（スタート）する。次に、ステップ１４１１８で、予告表示制御手段２１５３ｃは、演出表示関連情報一時記憶手段２１５３ｄのフラグ領域内の「通常ステップアップ予告継続フラグ」をオンにする。
【０１１９】
次に、ステップ１４１２０で、予告表示制御手段２１５３ｃは、ステップアップ予告用タイマを参照し、「ＳＨｊ」のステップアップ予告表示タイミングに到達したか否かを判定する。ステップ１４１２０でＹｅｓの場合、ステップ１４１２２で、予告表示制御手段２１５３ｃは、演出表示装置２１４０上に、「ＳＨｊ」のステップアップ予告を表示する。次に、ステップ１４１２４で、予告表示制御手段２１５３ｃは、演出表示関連情報一時記憶手段２１５３ｄの予告関連領域を参照し、「ｊ＝ｍａｘ」であるか否か、即ち、予定されていたすべてのステップアップ予告を表示したか否かを判定する。ステップ１４１２４でＹｅｓの場合、ステップ１４１２６で、予告表示制御手段２１５３ｃは、演出表示関連情報一時記憶手段２１５３ｄのフラグ領域内の「通常ステップアップ予告継続フラグ」をオフにし、次の処理（図２９のステップ１４１０６）に移行する。他方、ステップ１４１２４でＮｏの場合、ステップ１４１２８で、予告表示制御手段２１５３ｃは、演出表示関連情報一時記憶手段２１５３ｄの予告関連領域内のｊ値に「１」を加算し、次の処理（図２９のステップ１４１０６）に移行する。尚、ステップ１４１１２でＮｏの場合にはステップ１４１２０に移行し、ステップ１４１２０でＮｏの場合には次の処理（図２９のステップ１４１０６）に移行する。
【０１２０】
図３１は、図２９でのステップ１４１６０のサブルーチンに係る、本発明の特徴的処理の一つである擬似連続ステップアップ予告表示処理のフローチャートである。はじめに、ステップ１４１６２〜ステップ１４１６６にかけて、当該変動における初期設定を行う。具体的には、まず、ステップ１４１６２で、予告表示制御手段２１５３ｃは、演出表示関連情報一時記憶手段２１５３ｄのフラグ領域を参照し、「擬似連続ステップアップ予告継続フラグ」がオフであるか否かを判定する。ステップ１４１６２でＹｅｓの場合、ステップ１４１６４で、予告表示制御手段２１５３ｃは、ステップアップ予告用タイマをセット（スタート）する。次に、ステップ１４１６６で、予告表示制御手段２１５３ｃは、演出表示関連情報一時記憶手段２１５３ｄのフラグ領域内の「擬似連続ステップアップ予告継続フラグ」をオンにし、ステップ１４１６８に移行する。尚、ステップ１４１６２でＮｏの場合にも、ステップ１４１６８に移行する。
【０１２１】
次に、ステップ１４１６８〜ステップ１４１７２にかけて、当該擬似変動における初期設定を行う。具体的には、まず、ステップ１４１６８で、予告表示制御手段２１５３ｃは、演出表示関連情報一時記憶手段２１５３ｄのフラグ領域を参照し、「第ｋ回目擬似変動時・擬似連続ステップアップ予告継続フラグ」がオフであるか否かを判定する。ステップ１４１６８でＹｅｓの場合、ステップ１４１７０で、予告表示制御手段２１５３ｃは、演出表示関連情報一時記憶手段２１５３ｄの予告関連領域内のｊ値に「１」をセットする。次に、ステップ１４１７２で、予告表示制御手段２１５３ｃは、演出表示関連情報一時記憶手段２１５３ｄのフラグ領域内の「第ｋ回目擬似変動時・擬似連続ステップアップ予告継続フラグ」をオンにし、ステップ１４１７４に移行する。尚、ステップ１４１７０でＮｏの場合にも、ステップ１４１７４に移行する。
【０１２２】
次に、ステップ１４１７４で、予告表示制御手段２１５３ｃは、ステップアップ予告用タイマを参照し、「ＳＨｋ・ｊ」のステップアップ予告表示タイミングに到達したか否か、即ち、ｋ回目の擬似変動におけるｊ段階のステップアップ予告表示タイミングに到達したか否かを判定する。ステップ１４１７４でＹｅｓの場合、ステップ１４１７６で、予告表示制御手段２１５３ｃは、演出表示装置２１４０上に、「ＳＨｋ・ｊ」のステップアップ予告を表示する。次に、ステップ１４１７８で、予告表示制御手段２１５３ｃは、演出表示関連情報一時記憶手段２１５３ｄの予告関連領域を参照し、「ｊ＝ｍａｘ」であるか否かを判定する。ステップ１４１７８でＹｅｓの場合、ステップ１４１８０で、予告表示制御手段２１５３ｃは、演出表示関連情報一時記憶手段２１５３ｄのフラグ領域内の「第ｋ回目擬似変動時・擬似連続ステップアップ予告継続フラグ」をオフにする。次に、ステップ１４１８２で、予告表示制御手段２１５３ｃは、演出表示関連情報一時記憶手段２１５３ｄの図柄関連領域を参照し、「ｋ＝ｋｆｉｎ」であるか否かを判定する。ステップ１４１８２でＹｅｓの場合、ステップ１４１８４で、予告表示制御手段２１５３ｃは、演出表示関連情報一時記憶手段２１５３ｄのフラグ領域内の「擬似連続ステップアップ予告継続フラグ」をオフにし、次の処理（図２９のステップ１４１０６）に移行する。尚、ステップ１４１７４及びステップ１４１８２でＮｏの場合にも、次の処理（図２９のステップ１４１０６）に移行し、ステップ１４１７８でＮｏの場合には、ステップ１４１８６で、予告表示制御手段２１５３ｃは、演出表示関連情報一時記憶手段２１５３ｄの予告関連領域内のｊ値に「１」を加算し、次の処理（図２９のステップ１４１０６）に移行する。
【０１２３】
図３２は、図２８でのステップ１４２００のサブルーチンに係る、本発明の特徴的処理の一つである滞在モードα下処理のフローチャートである。はじめに、ステップ１４２０２〜ステップ１４２１０にかけて、図柄変動当初からＴＨ予告を表示するか否かの判定・実行処理を行う。具体的には、まず、ステップ１４２０２で、予告表示制御手段２１５３ｃは、演出表示関連情報一時記憶手段２１５３ｄのフラグ領域を参照し、「滞在モードα１フラグ」又は「滞在モードα２フラグ」がオンであるか否かを判定する。ステップ１４２０２でＹｅｓの場合、ステップ１４２０４で、予告表示制御手段２１５３ｃは、演出表示関連情報一時記憶手段２１５３ｄの予告関連領域（滞在モード用）を参照し、「ｎ≠Ｘ」であるか否か、即ち、当該モードに突入した初回の図柄変動でないか否かを判定する。ステップ１４２０４でＹｅｓの場合、ステップ１４２０６で、予告表示制御手段２１５３ｃは、演出表示関連情報一時記憶手段２１５３ｄの予告関連領域（滞在モード用）を参照し、演出表示装置２１４０上に、「Ｓα１」から「Ｓαｍａｘ」までのＴＨ予告を表示し、ステップ１４２１２に移行する。他方、ステップ１４２０２でＮｏの場合、即ち、滞在モードα３である場合には、ステップ１４２０８で、予告表示制御手段２１５３ｃは、演出表示関連情報一時記憶手段２１５３ｄの予告関連領域（滞在モード用）を参照し、「ｎ≠Ｘ」であるか否か、即ち、当該モードに突入した初回の図柄変動でないか否かを判定する。ステップ１４２０８でＹｅｓの場合、ステップ１４２１０で、予告表示制御手段２１５３ｃは、演出表示関連情報一時記憶手段２１５３ｄの予告関連領域（滞在モード用）を参照し、演出表示装置２１４０上に、「Ｓα（ｍ）１」から「Ｓα（ｍ）ｍａｘ」までのＴＨ予告を表示し、ステップ１４２１２に移行する。尚、ステップ１４２０４及びステップ１４２０８でＮｏの場合にも、ステップ１４２１２に移行する。
【０１２４】
そして、ステップ１４２１２で、予告表示制御手段２１５３ｃは、演出表示関連情報一時記憶手段２１５３ｄのフラグ領域を参照し、「ステップアップ予告決定フラグ」がオンであるか否かを判定する。ステップ１４２１２でＹｅｓの場合、ステップ１４２１４で、予告表示制御手段２１５３ｃは、演出表示関連情報一時記憶手段２１５３ｄのフラグ領域を参照し、「ステップアップ擬似連続予告フラグ」がオフであるか否かを判定する。ステップ１４２１４でＹｅｓの場合、ステップ１４２２０で、予告表示制御手段２１５３ｃは、後述する通常ステップアップ予告表示処理を実行し、ステップ１４２１６に移行する。他方、ステップ１４２１４でＮｏの場合、ステップ１４２６０で、予告表示制御手段２１５３ｃは、後述する擬似連続ステップアップ予告表示処理を実行し、ステップ１４２１６に移行する。
【０１２５】
そして、ステップ１４２１６で、予告表示制御手段２１５３ｃは、演出表示関連情報一時記憶手段２１５３ｄのフラグ領域を参照し、「図柄変動中フラグ」がオフであるか否かを判定する。ステップ１４２１６でＹｅｓの場合、ステップ１４２１８で、予告表示制御手段２１５３ｃは、演出表示関連情報一時記憶手段２１５３ｄの予告関連領域（当該変動用）内の「ＳＨ１」から「ＳＨｍａｘ」をクリアし、次の処理（図柄変動終了後の予告関連処理１５０００）に移行する。他方、ステップ１４２１６でＮｏの場合にも、次の処理（図柄変動終了後の予告関連処理１５０００）に移行する。尚、ステップ１４２１２でＮｏの場合には、ステップ１４２１６に移行する。
【０１２６】
図３３は、図３２でのステップ１４２２０のサブルーチンに係る、本発明の特徴的処理の一つである通常ステップアップ予告表示処理のフローチャートである。はじめに、ステップ１４２２２〜ステップ１４２２８にかけて、当該変動における初期設定を行う。具体的には、まず、ステップ１４２２２で、予告表示制御手段２１５３ｃは、演出表示関連情報一時記憶手段２１５３ｄのフラグ領域を参照し、「通常ステップアップ予告継続フラグ」がオフであるか否かを判定する。ステップ１４２２２でＹｅｓの場合、ステップ１４２２４で、予告表示制御手段２１５３ｃは、演出表示関連情報一時記憶手段２１５３ｄの予告関連領域内のｊ値に「１」をセットする。次に、ステップ１４２２６で、予告表示制御手段２１５３ｃは、ステップアップ予告用タイマ（図示しない）をセット（スタート）する。次に、ステップ１４２２８で、予告表示制御手段２１５３ｃは、演出表示関連情報一時記憶手段２１５３ｄのフラグ領域内の「通常ステップアップ予告継続フラグ」をオンにする。
【０１２７】
次に、ステップ１４２３０で、予告表示制御手段２１５３ｃは、ステップアップ予告用タイマを参照し、「ＳＨｊ」のステップアップ予告表示タイミングに到達したか否か、即ち、ｊ段階のステップアップ予告表示タイミングに到達したか否かを判定する。ステップ１４２３０でＹｅｓの場合、ステップ１４２３２で、予告表示制御手段２１５３ｃは、演出表示関連情報一時記憶手段２１５３ｄの予告関連領域（滞在モード用）を参照し、「ｎ≠Ｘ」であるか否か、即ち、当該滞在モードに突入して最初の図柄変動でないか否かを判定する。ステップ１４２３２でＹｅｓの場合、ステップ１４２３４で、予告表示制御手段２１５３ｃは、演出表示関連情報一時記憶手段２１５３ｄの予告関連領域（当該変動用及び滞在モード用）を参照し、「ＳＨｊ＞Ｓαｍａｘ」であるか否かを判定する。ステップ１４２３４でＹｅｓの場合、ステップ１４２３６で、予告表示制御手段２１５３ｃは、演出表示関連情報一時記憶手段２１５３ｄの予告関連領域（当該変動用）を参照し、演出表示装置２１４０上に、「ＳＨｊ」のステップアップ予告を表示する。
【０１２８】
他方、ステップ１４２３４でＮｏの場合、即ち、「ＳＨｊ≦Ｓαｍａｘ」である場合には、「ＳＨｊ」を表示することなく、ステップ１４２３８に移行する。つまり、既に表示されているＴＨ予告よりも発展しないステップアップ予告に関しては、その表示を行わないように制御する。
【０１２９】
次に、ステップ１４２３８で、予告表示制御手段２１５３ｃは、演出表示関連情報一時記憶手段２１５３ｄの予告関連領域を参照し、「ｊ＝ｍａｘ」であるか否かを判定する。ステップ１４２３８でＹｅｓの場合、ステップ１４２４０で、予告表示制御手段２１５３ｃは、演出表示関連情報一時記憶手段２１５３ｄのフラグ領域内の「通常ステップアップ予告継続フラグ」をオフにし、次の処理（図３２のステップ１４２１６）に移行する。他方、ステップ１４２３８でＮｏの場合、ステップ１４２４２で、予告表示制御手段２１５３ｃは、演出表示関連情報一時記憶手段２１５３ｄの予告関連領域内のｊ値に「１」を加算し、次の処理（図３２のステップ１４２１６）に移行する。尚、ステップ１４２３０でＮｏの場合にも、次の処理（図３２のステップ１４２１６）に移行し、ステップ１４２３２でＮｏの場合には、ステップ１４２３６に移行する。
【０１３０】
図３４は、図３２でのステップ１４２６０のサブルーチンに係る、本発明の特徴的処理の一つである擬似連続ステップアップ予告表示処理のフローチャートである。はじめに、ステップ１４２６２〜ステップ１４２６８にかけて、当該変動における初期設定を行う。具体的には、まず、ステップ１４２６２で、予告表示制御手段２１５３ｃは、演出表示関連情報一時記憶手段２１５３ｄのフラグ領域を参照し、「擬似連続ステップアップ予告継続フラグ」がオフであるか否かを判定する。ステップ１４２６２でＹｅｓの場合、ステップ１４２６４で、予告表示制御手段２１５３ｃは、演出表示関連情報一時記憶手段２１５３ｄの予告関連領域内のｊ値に「１」をセットする。次に、ステップ１４２６６で、予告表示制御手段２１５３ｃは、ステップアップ予告用タイマ（図示しない）をセット（スタート）する。次に、ステップ１４２６８で、予告表示制御手段２１５３ｃは、演出表示関連情報一時記憶手段２１５３ｄのフラグ領域内の「擬似連続ステップアップ予告継続フラグ」をオンにし、ステップ１４２７０に移行する。尚、ステップ１４２６２でＮｏの場合にも、ステップ１４２７０に移行する。
【０１３１】
次に、ステップ１４２７０〜ステップ１４２７２にかけて、当該擬似変動における初期設定を行う。具体的には、まず、ステップ１４２７０で、予告表示制御手段２１５３ｃは、演出表示関連情報一時記憶手段２１５３ｄのフラグ領域を参照し、「第ｋ回目擬似変動時・擬似連続ステップアップ予告継続フラグ」がオフであるか否かを判定する。ステップ１４２７０でＹｅｓの場合、ステップ１４２７２で、予告表示制御手段２１５３ｃは、演出表示関連情報一時記憶手段２１５３ｄのフラグ領域内の「第ｋ回目擬似変動時・擬似連続ステップアップ予告継続フラグ」をオンにする。尚、ステップ１４２７０でＮｏの場合には、ステップ１４２７４に移行する。
【０１３２】
次に、ステップ１４２７４で、予告表示制御手段２１５３ｃは、演出表示関連情報一時記憶手段２１５３ｄの予告関連領域（滞在モード用）を参照し、演出表示装置２１４０上に、「Ｓαｋ・ｍａｘ」のＴＨ予告を表示する。次に、ステップ１４２７６で、予告表示制御手段２１５３ｃは、ステップアップ予告用タイマを参照し、「ＳＨｋ・ｊ」のステップアップ予告表示タイミングに到達したか否か、即ち、ｋ回目の擬似変動におけるｊ段階のステップアップ予告表示タイミングに到達したか否かを判定する。ステップ１４２７６でＹｅｓの場合、ステップ１４２７８で、予告表示制御手段２１５３ｃは、演出表示関連情報一時記憶手段２１５３ｄの予告関連領域（当該変動用及び滞在モード用）を参照し、「ＳＨｋ・ｊ＞Ｓαｍａｘ」であるか否かを判定する。ステップ１４２７８でＹｅｓの場合、ステップ１４２８０で、予告表示制御手段２１５３ｃは、演出表示装置２１４０上に、「ＳＨｋ・ｊ」のステップアップ予告を表示する。次に、ステップ１４２８２で、予告表示制御手段２１５３ｃは、演出表示関連情報一時記憶手段２１５３ｄの予告関連領域を参照し、「ｊ＝ｍａｘ」であるか否かを判定する。ステップ１４２８２でＹｅｓの場合、ステップ１４２８４で、予告表示制御手段２１５３ｃは、演出表示関連情報一時記憶手段２１５３ｄのフラグ領域内の「第ｋ回目擬似変動時・擬似連続ステップアップ予告継続フラグ」をオフにする。次に、ステップ１４２８６で、予告表示制御手段２１５３ｃは、演出表示関連情報一時記憶手段２１５３ｄの図柄関連領域を参照し、「ｋ＝ｋｆｉｎ」であるか否かを判定する。ステップ１４２８６でＹｅｓの場合、ステップ１４２８８で、予告表示制御手段２１５３ｃは、演出表示関連情報一時記憶手段２１５３ｄのフラグ領域内の「擬似連続ステップアップ予告継続フラグ」をオフにし、次の処理（図３２のステップ１４２１６）に移行する。
【０１３３】
尚、ステップ１４２７６及びステップ１４２８６でＮｏの場合にも、次の処理（図３２のステップ１４２１６）に移行する。また、ステップ１４２７８でＮｏの場合には、ステップ１４２８２に移行する。そして、ステップ１４２８２でＮｏの場合には、ステップ１４２９０で、予告表示制御手段２１５３ｃは、演出表示関連情報一時記憶手段２１５３ｄの予告関連領域内のｊ値に「１」を加算し、次の処理（図３２のステップ１４２１６）に移行する。
【０１３４】
図３５は、図２８でのステップ１４３００のサブルーチンに係る、本発明の特徴的処理の一つである滞在モードβ下処理のフローチャートである。まず、ステップ１４３０２で、予告表示制御手段２１５３ｃは、演出表示関連情報一時記憶手段２１５３ｄのフラグ領域を参照し、「滞在モードβ２フラグ」がオンであるか否かを判定する。ステップ１４３０２でＹｅｓの場合、ステップ１４３０４で、予告表示制御手段２１５３ｃは、演出表示関連情報一時記憶手段２１５３ｄの予告関連領域（滞在モード用）を参照し、「ｎ≠ｎ０」であるか否か、即ち、当該モードに移行してはじめての図柄変動でないか否かを判定する。ステップ１４３０４でＹｅｓの場合、ステップ１４３０６で、予告表示制御手段２１５３ｃは、演出表示関連情報一時記憶手段２１５３ｄの予告関連領域（滞在モード用）を参照し、演出表示装置２１４０上に「Ｓβ１」から「Ｓβｍａｘ」までのＴＨ予告を固定的に表示する。
【０１３５】
次に、ステップ１４３０８で、予告表示制御手段２１５３ｃは、演出表示関連情報一時記憶手段２１５３ｄの予告関連領域（当該変動用及び滞在モード用）を参照し、「ＳＨｍａｘ＞Ｓβｍａｘ」であるか否かを判定する。ステップ１４３０８でＹｅｓの場合、ステップ１４３１０で、予告表示制御手段２１５３ｃは、演出表示関連情報一時記憶手段２１５３ｄの予告関連領域（当該変動用及び滞在モード用）を参照し、演出表示装置２１４０上に「Ｓβｍａｘ」を超えた「ＳＨｖ」から「ＳＨｍａｘ」までのステップアップ予告を当該表示タイミングに到達した際に順次表示し、ステップ１４３１６に移行する。他方、ステップ１４３０８でＮｏの場合にも、ステップ１４３１６に移行する。
【０１３６】
また、ステップ１４３０４でＮｏの場合、即ち、当該モードに移行した初回の図柄変動ではない場合には、ステップ１４３１２で、予告表示制御手段２１５３ｃは、演出表示関連情報一時記憶手段２１５３ｄの予告関連領域（当該変動用）を参照し、演出表示装置２１４０上に「ＳＨ１」から「Ｓβｍａｘ」までのステップアップ予告を当該表示タイミングに到達した際に順次表示し、ステップ１４３１６に移行する。
【０１３７】
他方、ステップ１４３０２でＮｏの場合、即ち、滞在モードβ１フラグがオンである場合には、ステップ１４３１４で、予告表示制御手段２１５３ｃは、演出表示関連情報一時記憶手段２１５３ｄの予告関連領域（当該変動用）を参照し、演出表示装置２１４０上に「ＳＨ１」から「ＳＨｍａｘ」までのステップアップ予告を当該表示タイミングに到達した際に順次表示し、ステップ１４３１６に移行する。
【０１３８】
そして、ステップ１４３１６で、予告表示制御手段２１５３ｃは、演出表示関連情報一時記憶手段２１５３ｄのフラグ領域を参照し、「図柄変動中フラグ」がオフであるか否かを判定する。ステップ１４３１６でＹｅｓの場合、ステップ１４３１８で、予告表示制御手段２１５３ｃは、演出表示関連情報一時記憶手段２１５３ｄの予告関連領域（当該変動用）内の「ＳＨ１」から「ＳＨｍａｘ」を消去して現在表示されているステップアップ予告をクリアし、次の処理（図柄変動終了後の予告関連処理１５０００）に移行する。尚、ステップ１４３１６でＮｏの場合にも、次の処理（図柄変動終了後の予告関連処理１５０００）に移行する。
【０１３９】
図３６は、図１３でのステップ１５０００のサブルーチンに係る、本発明の特徴的処理の一つである図柄変動終了後の予告関連処理のフローチャートである。まず、ステップ１５００２で、予告表示制御手段２１５３ｃは、演出表示関連情報一時記憶手段２１５３ｄのフラグ領域を参照し、「図柄変動終了フラグ」がオンであるか否かを判定する。ステップ１５００２でＹｅｓの場合、ステップ１５１００で、予告表示制御手段２１５３ｃは、後述する滞在モードα２時更新処理を実行する。次に、ステップ１５００４で、予告表示制御手段２１５３ｃは、演出表示関連情報一時記憶手段２１５３ｄのフラグ領域内の「ステップアップ予告決定フラグ」をオフにする。そして、ステップ１５００６で、表示制御手段２１５３は、演出表示関連情報一時記憶手段２１５３ｄのフラグ領域内の「図柄変動終了フラグ」をオフにし、次の処理（特別遊技中表示制御処理１６０００）に移行する。尚、ステップ１５００２でＮｏの場合にも、次の処理（特別遊技中表示制御処理１６０００）に移行する。
【０１４０】
図３７は、図３６でのステップ１５１００のサブルーチンに係る、本発明の特徴的処理の一つである滞在モードα２時更新処理のフローチャートである。まず、ステップ１５１０２で、予告表示制御手段２１５３ｃは、演出表示関連情報一時記憶手段２１５３ｄのフラグ領域を参照し、「滞在モードα２フラグ」がオンであるか否かを判定する。ステップ１５１０２でＹｅｓの場合、ステップ１５１０４で、予告表示制御手段２１５３ｃは、演出表示関連情報一時記憶手段２１５３ｄの予告関連領域（当該変動用及び滞在モード用）を参照し、「ＳＨｍａｘ」値＞「Ｓαｍａｘ」値であるか否かを判定する。ステップ１５１０４でＹｅｓの場合、ステップ１５１０６で、予告表示制御手段２１５３ｃは、演出表示関連情報一時記憶手段２１５３ｄの予告関連領域（当該変動用）を参照し、演出表示関連情報一時記憶手段２１５３ｄの予告関連領域（滞在モード用）内の「Ｓαｍａｘ」値として「ＳＨｍａｘ」値をセットし、次の処理（図３６のステップ１５００４）に移行する。尚、ステップ１５１０２及びステップ１５１０４でＮｏの場合にも、次の処理（図３６のステップ１５００４）に移行する。
【０１４１】
図３８は、図１３でのステップ１６０００のサブルーチンに係る、特別遊技中表示制御処理のフローチャートである。まず、ステップ１６００２で、表示制御手段２１５３は、演出表示関連情報一時記憶手段２１５３ｄのフラグエリアを参照し、「特別遊技中フラグ」がオフであるか否かを判定する。ステップ１６００２でＹｅｓの場合、ステップ１６００４で、表示制御手段２１５３は、メイン側情報一時記憶手段２１５１ａを参照し、主制御装置１０００側から特別遊技開始信号を受信したか否かを判定する。ステップ１６００４でＹｅｓの場合、ステップ１６００６及びステップ１６００８で、表示制御手段２１５３は、演出表示関連情報一時記憶手段２１５３ｄのフラグエリア内の「特別遊技中フラグ」をオンにすると共に、演出表示装置２１４０上で大当たり開始表示を行う。そして、ステップ１６０１０で、表示制御手段２１５３は、演出表示装置２１４０上で、ステップ１６２３で主制御装置１０００側から逐次送信されている遊技情報に基づき、ラウンド数と入賞個数を逐次表示する。そして、ステップ１６０１２で、表示制御手段２１５３は、メイン側情報一時記憶手段２１５１ａを参照し、主制御装置１０００側から特別遊技終了信号を受信したか否かを判定する。ステップ１６０１２でＹｅｓの場合、ステップ１６０１４で、表示制御手段２１５３は、演出表示装置２１４０上で、大当たり終了表示を行う。そして、ステップ１６０１６で、表示制御手段２１５３は、演出表示関連情報一時記憶手段２１５３ｄのフラグエリア内の「特別遊技中フラグ」をオフにし、次の処理（装飾図柄表示内容決定処理６１００）に移行する。尚、ステップ１６００２でＮｏの場合にはステップ１６０１０に移行し、ステップ１６００４及びステップ１６０１２でＮｏの場合には次の処理（装飾図柄表示内容決定処理１１０００）に移行する。
【０１４２】
次に、図面を参照しながら、本発明に係るパチンコ遊技機の作用について説明する。まず、図１を参照しながら一般的な遊技の流れを説明すると、遊技者がハンドルを時計回りに捻ることにより、遊技球が、遊技領域内に放出される。放出された当該遊技球は、釘や風車等の障害物に衝突を繰り返しながら下方に落下する。そして、当該遊技球が特図始動口２１１０に入球すると、特別図柄表示装置２１３０内の特図表示部２１３１上で特別図柄が変動を開始する一方、演出表示装置２１４０内の装図表示部２１４１上で装飾図柄が前記特別図柄とシンクロして変動を開始する。そして、所定時間経過後、変動していた特別図柄と装飾図柄が同時に停止する。この際、これら停止図柄が特定態様である場合（例えば「７７７」）、通常遊技時は閉状態である大入賞口２１２０が所定条件下で開状態となる特別遊技が実行される。
【０１４３】
次に、図３９〜図５２を参照しながら、本発明の特徴的作用を詳述する。尚、これらの図中、矢印は装飾図柄が変動中であることを示している。そして、図中の「Ｓ１」〜「Ｓ４」は、それぞれ第一〜第四段階ステップアップ予告を示している。
【０１４４】
《モードα１》
図３９は、非滞在モードから滞在モードα１に移行した直後の様子を示した図である。ここで、このモードに移行する前提として、（１）非滞在モード下で、当該変動の際に、「Ｓ１」→「Ｓ２」のステップアップ予告に当選、（２）当該ステップアップ予告の当選に基づくモード移行抽選の結果、非滞在モードから滞在モードα１への移行が決定（当該決定を受けて「Ｓαｍａｘ値」として「２」をセット）、（３）滞在モードα１の最大滞在回転数Ｘとして２０をセット、という内部処理が実行されている。
【０１４５】
そこで、当該内部処理を受けての表示内容を説明すると、図３９（ａ）が、滞在モードα１に移行直後（移行後１回転目、ｎ＝２０）の変動の様子である。三列の装飾図柄が変動を開始し（第一段）、ステップアップ予告Ｓ１表示タイミングに到達すると「Ｓ１」が表示される（第二段）。更に、ステップアップ予告Ｓ２表示タイミングに到達すると「Ｓ２」が表示される（第三段）。そして、その後のステップアップ予告Ｓ３・Ｓ４表示タイミングに到達してもこれ以上ステップアップ予告が表示されることなく（発展することなく）、装飾図柄が「５７３」で確定表示され装飾図柄変動が終了する（最下欄）。このように、移行後１回転目は、通常のステップアップ予告と同一である。尚、図４６の第一欄に、当該変動開始直後の演出表示関連情報一時記憶手段２１５３ｄの一時記憶内容を示す。
【０１４６】
図３９（ｂ）は、滞在モードα１の移行後２回転目（ｎ＝１９）の様子を示した図である。ここで、移行後２回転目では、「Ｓ１」のステップアップ予告に仮当選、という内部処理が実行されている。
【０１４７】
そこで、当該内部処理を受けての表示内容を説明すると、図３９（ｂ）に示すように、まず、前述の１回転目で表示されていた「Ｓ１」及び「Ｓ２」が、ＴＨ予告として三列の装飾図柄の変動開始当初から引き続き表示される（第一段）。そして、この状態が変わることなく維持された後（第二段〜第五段）、装飾図柄が「７２４」で確定表示され装飾図柄変動が終了する（最下欄）。このように、前回表示されていたステップアップ予告表示（「Ｓ１」及び「Ｓ２」）が引き続き当初から表示されることが分かる。更に、内部的に前記ＴＨ予告表示（「Ｓ１」及び「Ｓ２」）までは発展しないステップアップ予告表示（「Ｓ１」）が仮決定されたとしても、当該仮決定に係るステップアップ予告表示は実行されないことが分かる。尚、図４６の第二欄に、当該変動開始直後の演出表示関連情報一時記憶手段２１５３ｄの一時記憶内容を示す。
【０１４８】
図３９（ｃ）は、滞在モードα１の移行後３回転目（ｎ＝１８）の様子を示した図である。ここで、移行後３回転目では、「Ｓ１」→「Ｓ２」→「Ｓ３」のステップアップ予告に当選、という内部処理が実行されている。
【０１４９】
そこで、当該内部処理を受けての表示内容を説明すると、図３９（ｃ）に示すように、まず、前述の１回転目で表示されていた「Ｓ１」及び「Ｓ２」が、ＴＨ予告として三列の装飾図柄の変動開始当初から引き続き表示される（第一段）。そして、この状態がしばらく維持され（第二段〜第三段）、ステップアップ予告Ｓ３表示タイミングに到達した際に「Ｓ３」が表示される（第四段）。ここで、この「Ｓ３」が出現するタイミングは、非滞在モードで「Ｓ１」→「Ｓ２」→「Ｓ３」のステップアップ予告が表示される場合における、「Ｓ３」の出現タイミングと同一である。そして、この状態がしばらく維持された後（第五段）、換言すれば、「Ｓ４」の出現タイミングに到達しても当該予告が新たに出現することなく、「７７↓」というリーチ状態を経て装飾図柄が「７７３」で確定表示され装飾図柄変動が終了する（最下欄）。このように、前回表示されていたステップアップ予告表示（「Ｓ１」及び「Ｓ２」）がＴＨ予告として引き続き当初から固定的に表示される状況下、内部的に前記ＴＨ予告表示（「Ｓ１」及び「Ｓ２」）を超える段階まで発展するステップアップ予告表示（「Ｓ１」→「Ｓ２」→「Ｓ３」）が仮決定された場合には、当該超えた段階の予告表示「Ｓ３」）が当該超えた段階のタイミングに到達した時点で表示されることが分かる。また、遊技者は、これにより、内部的に「Ｓ３」まで発展するステップアップ予告に当選したことを認識し、その後の装飾図柄変動に高い期待感を抱くことになる（本例では大当たりにはならなかったが、リーチ状態になっている）。尚、図４６の第三欄に、当該変動開始直後の演出表示関連情報一時記憶手段２１５３ｄの一時記憶内容を示す。
【０１５０】
図３９（ｄ）は、滞在モードα１から非滞在モードへ転落した直後の様子を示した図である。このように、転落後は、前回及び前々回に固定的に表示されていたようなＴＨ予告（「Ｓ１」及び「Ｓ２」）はもはや表示されず、何のステップアップ予告も出現しない状態で装飾図柄が変動した後（第一段〜第五段）、装飾図柄が「６９１」で確定表示され装飾図柄変動が終了する（最下欄）。尚、図４６の第四欄に、当該変動開始直後の演出表示関連情報一時記憶手段２１５３ｄの一時記憶内容を示す。
【０１５１】
《モードα２》
図４０は、非滞在モードから滞在モードα２に移行した直後（ｎ＝２０）の様子を示した図である（モード移行から４回転のみ図示）。尚、理解の容易のため、滞在モードが異なる点を除き、滞在モードα１に係る図３９の場合と同一シチュエーションとした。
【０１５２】
そこで、当該内部処理を受けての表示内容を説明すると、図４０（ａ）〜図４０（ｃ）までは、前述の滞在モードα１に係る図３９の場合と同一である。相違するのは、（１）ＴＨ予告表示（「Ｓ１」及び「Ｓ２」）を超える段階まで発展するステップアップ予告表示（「Ｓ１」→「Ｓ２」→「Ｓ３」）が表示された後でも滞在モードα２は転落せず、次回からのＴＨ予告表示が更新される（「Ｓ１」〜「Ｓ３」）点である。
【０１５３】
そこで、当該滞在モードα２に特徴的な表示内容を説明すると、図４０（ｄ）に示すように、三列の装飾図柄が変動を開始するが、この際、前回までは「Ｓ１」及び「Ｓ２」のみから構成されていたＴＨ予告表示に「Ｓ３」が付加されて表示される（第一段）。そして、この状態がしばらく維持された後（第二段〜第五段）、装飾図柄が「６９１」で確定表示され装飾図柄変動が終了する（最下欄）。このように、滞在モードα２下では、モード移行当初に決定したＳαｍａｘ値｛２（「Ｓ１」〜「Ｓ２」｝が以後表示され続ける滞在モードα１とは異なり、当該表示されている予告表示を超える段階の予告表示がなされた場合、Ｓαｍａｘ値を当該予告表示に更新｛３（「Ｓ１」〜「Ｓ３」｝した形で、次以降のＴＨ予告表示を実行する。尚、図４７に、当該変動開始直後から第四回目変動までの演出表示関連情報一時記憶手段２１５３ｄの一時記憶内容を示す。
【０１５４】
《モードα３》
図４１は、非滞在モードから滞在モードα３に移行した直後（ｎ＝２０）の様子を示した図である。尚、理解の容易のため、滞在モードが異なる点を除き、滞在モードα１に係る図３９の場合と同一シチュエーションとした。
【０１５５】
そこで、当該内部処理を受けての表示内容を説明すると、図４１（ａ）及び（ｄ）は、前述の滞在モードα１に係る図３９の場合と同一である。そこで、相違する図４１（ｂ）及び（ｃ）を説明する。
【０１５６】
まず、図４１（ｂ）は、ＴＨ予告表示（「Ｓ１」及び「Ｓ２」）を超える段階までは発展しないステップアップ予告表示（「Ｓ１」）が仮決定された後の図柄変動である（第二回目変動）。図４１（ｂ）から分かるように、ＴＨ予告表示として「Ｓ１」及び「Ｓ２」が当初から表示されている点ではモードα１に係る図３９（ｂ）と同様であるが、モードα１ではその表示態様が楕円形であるのに対し、本モードα３では四角である。このように、当該モード下では、ＴＨ予告表示を超える段階まで発展しないステップアップ予告が内部的に仮決定された場合には、その仮決定数（ｍ値）に応じて表示態様が変化する。尚、図示しないが、これ以後の図柄変動の際、例えば、「Ｓ１（ｍ＝２）」→「Ｓ２（ｍ＝３）」→「Ｓ１（ｍ＝４）」→「Ｓ１（ｍ＝５）」・・・とステップアップ予告表示が仮決定された場合、その表示態様は現在の四角（ｍ＝１）から、例えば「三角（ｍ＝２）」→「五角形（ｍ＝３）」→「六角形（ｍ＝４）」→「星形（ｍ＝５）」・・・、と変化する。
【０１５７】
そして、図４１（ｃ）は、ＴＨ予告表示（「Ｓ１」及び「Ｓ２」）を超える段階まで発展するステップアップ予告表示（「Ｓ３」）が仮決定された後の図柄変動である（第三回目変動）。出現するステップアップ予告表示や出現タイミングは、滞在モードα１に係る図３９（ｃ）と同様であるが、その表示態様が異なる（滞在モードα１では楕円形、滞在モードα３では四角形）ことが分かる。尚、図４８に、当該変動開始直後から第四回目変動までの演出表示関連情報一時記憶手段２１５３ｄの一時記憶内容を示す。
【０１５８】
《滞在モードβ１》
図４２は、非滞在モードから滞在モードβ１に移行した直後（ｎ＝３）の様子を示した図である。即ち、このモードに移行する前提として、（１）非滞在モード下で、当該変動の際に、「Ｓ１」→「Ｓ２」→「Ｓ３」のステップアップ予告に当選、（２）当該ステップアップ予告の当選に基づくモード移行抽選の結果、非滞在モードから滞在モードβ１への移行が決定（当該決定を受けて「ｎ値及びｎ０値として「３」をセット）、という内部処理が実行されている。
【０１５９】
そこで当該内部処理を受けての表示内容を説明すると、図４２（ａ）は、滞在モードβ１に移行した直後（移行後１回転目、ｎ＝３）の変動の様子である。まず、三列の装飾図柄が変動を開始し（第一段）、ステップアップ予告Ｓ１表示タイミングに到達すると「Ｓ１」が表示される（第二段）。そして、これ以上ステップアップ予告は発展することなく、装飾図柄が「５７３」で停止する（最下欄）。
【０１６０】
次に、図４２（ｂ）は、滞在モードβ１の移行後２回転目（ｎ＝２）の様子を示した図である。まず、三列の装飾図柄が変動を開始し（第一段）、ステップアップ予告Ｓ１表示タイミングに到達すると「Ｓ１」が表示され（第二段）、更にステップアップ予告Ｓ２表示タイミングに到達すると「Ｓ２」が表示される。そして、これ以上ステップアップ予告は発展することなく、装飾図柄が「７２４」で停止する（最下欄）。
【０１６１】
次に、図４２（ｃ）は、滞在モードβ１の移行後３回転目（ｎ＝１）の様子を示した図である。まず、三列の装飾図柄が変動を開始し（第一段）、ステップアップ予告Ｓ１表示タイミングに到達すると「Ｓ１」が表示され（第二段）、更にステップアップ予告Ｓ２表示タイミングに到達すると「Ｓ２」が表示され、更にステップアップ予告Ｓ３表示タイミングに到達すると「Ｓ３」が表示される。そして、これ以上ステップアップ予告は発展することなく、装飾図柄が「７４３」で停止する（最下欄）。尚、図４９に、当該変動開始直後から第四回目変動までの演出表示関連情報一時記憶手段２１５３ｄの一時記憶内容を示す。
【０１６２】
《滞在モードβ２》
図４３は、非滞在モードから滞在モードβ２に移行した直後（ｎ＝３）の様子を示した図である。即ち、このモードに移行する前提として、（１）非滞在モード下で、当該変動の際に、「Ｓ１」→「Ｓ２」→「Ｓ３」のステップアップ予告に当選、（２）当該ステップアップ予告の当選に基づくモード移行抽選の結果、非滞在モードから滞在モードβ２への移行が決定（当該決定を受けて「ｎ値及びｎ０値として「３」をセット）、（３）Ｓβｍａｘ値として「２」が選択、という内部処理が実行されている。
【０１６３】
そこで当該内部処理を受けての表示内容を説明すると、図４３（ａ）は、滞在モードβ２に移行した直後（移行後１回転目、ｎ＝３）の変動の様子である。まず、三列の装飾図柄が変動を開始し（第一段）、ステップアップ予告Ｓ１表示タイミングに到達すると「Ｓ１」が表示され（第二段）、更にステップアップ予告Ｓ２表示タイミングに到達すると「Ｓ２」が表示され（第三段）、その後はステップアップ予告が発展することなく、装飾図柄が「５７３」で停止する（最下欄）。
【０１６４】
次に、図４３（ｂ）は、滞在モードβ２の移行後２回転目（ｎ＝２）の様子を示した図である。まず、三列の装飾図柄が変動を開始するが、この際、１回目の擬似変動の際に表示されたステップアップ予告（「Ｓ１」〜「Ｓ２」）が、ＴＨ予告表示として当初から固定的に表示されている（第一段）。その後は、ステップアップ予告が更に発展することなく（第二段〜第五段）、装飾図柄が「７２４」で停止する（最下欄）。
【０１６５】
次に、図４３（ｃ）は、滞在モードβ２の移行後３回転目（ｎ＝１）の様子を示した図である。まず、三列の装飾図柄が変動を開始するが（第一段）、２回目の変動のときと同様に、１回目の変動の際に表示されたステップアップ予告（「Ｓ１」〜「Ｓ２」）が、ＴＨ予告表示として当初から表示されている（第一段）。そして、しばらく同じ状態が続いた後（第二段〜第三段）、ステップアップ予告Ｓ３表示タイミングに到達すると「Ｓ３」が表示される（第四段）。そして、これ以上ステップアップ予告は発展することなく、装飾図柄が「７４３」で停止する（最下欄）。尚、図５０に、当該変動開始直後から第四回目変動までの演出表示関連情報一時記憶手段２１５３ｄの一時記憶内容を示す。
【０１６６】
《非滞在モード＋ステップアップ擬似連続変動（パターン１）》
図４４は、非滞在モード下でステップアップ擬似連続変動（パターン１）が実行されている場合の表示内容を示した図である。ここで、ステップアップ擬似連続変動が選択される前提として、装飾図柄の擬似連続変動も選択されている。また、本例では、装飾図柄の擬似連続変動回数として「３回」、ステップアップ予告として「ＳＨｍａｘ値＝３」が内部決定されている。
【０１６７】
そこで本例を説明すると、「パターン１」は、装飾図柄の擬似連続変動のそれぞれについて、最初のステップから発展するパターンである。まず、図４４（ａ−１）は、装飾図柄の擬似連続変動（１回目）における、ステップアップ擬似連続変動（「Ｓ１」のみ）の様子である。まず、三列の装飾図柄が変動を開始し（第一段）、ステップアップ予告Ｓ１表示タイミングに到達すると「Ｓ１」が表示される（第二段）。そして、これ以上ステップアップ予告が発展することはなく、装飾図柄が「５７３」で仮停止する（最下欄）。尚、仮停止の状態においては、三個の装飾図柄は揺れ変動状態にある。
【０１６８】
次に、図４４（ａ−２）は、装飾図柄の擬似連続変動（２回目）における、ステップアップ擬似連続変動（「Ｓ２」まで発展）の様子である。図Ｈ（ａ−１）で仮停止状態にあった「５７３」は再び変動を開始し（第一段）、ステップアップ予告Ｓ１表示タイミングに到達すると「Ｓ１」が表示され（第二段）、更にステップアップ予告Ｓ２表示タイミングに到達すると「Ｓ２」が表示される。そして、これ以上ステップアップ予告が発展することはなく、装飾図柄が「７２４」で仮停止する（最下欄）。
【０１６９】
最後に、図４４（ａ−３）は、装飾図柄の擬似連続変動（３回目）における、ステップアップ擬似連続変動（「Ｓ３」まで発展）の様子である。図４４（ａ−３）で仮停止状態にある「７２４」は再び変動を開始し（第一段）、ステップアップ予告Ｓ１表示タイミングに到達すると「Ｓ１」が表示され（第二段）、更にステップアップ予告Ｓ２表示タイミングに到達すると「Ｓ２」が表示され、更にステップアップ予告Ｓ３表示タイミングに到達すると「Ｓ３」が表示される。そして、これ以上ステップアップ予告が発展することはなく、装飾図柄が「７７７」で停止し大当たりとなる（最下欄）。尚、図５１に、当該変動開始直後から第四回目変動までの各タイミングにおける演出表示関連情報一時記憶手段２１５３ｄの一時記憶内容を示す。
【０１７０】
《非滞在モード＋ステップアップ擬似連続変動（パターン２）》
図４５は、非滞在モード下でステップアップ擬似連続変動（パターン２）が実行されている場合の表示内容を示した図である。尚、装飾図柄の擬似連続変動回数として「３回」、ステップアップ予告として「ＳＨｍａｘ値＝３」が内部決定されている点は、前記「パターン１」の場合と同じである。
【０１７１】
そこで本例を説明すると、「パターン２」は、装飾図柄の擬似連続変動の２回目の擬似変動の際、１回目の擬似変動の際に表示されたステップアップ予告を当初（２回目の擬似変動の当初）からＴＨ予告として固定的に表示すると共に、当該ＴＨ予告を超える予告をそれ以後に表示する、というパターンである。換言すれば、前述の滞在モードα１における複数回に亘る変動を、一変動で擬似的に行うパターンである。
【０１７２】
まず、図４５（ａ−１）は、装飾図柄の擬似連続変動（１回目）における、ステップアップ擬似連続変動（「Ｓ２」まで発展）の様子である。まず、三列の装飾図柄が変動を開始し（第一段）、ステップアップ予告Ｓ１表示タイミングに到達すると「Ｓ１」が表示され（第二段）、更にステップアップ予告Ｓ２表示タイミングに到達すると「Ｓ２」が表示される（第三段）。その後はこれ以上ステップアップ予告は発展することなく、装飾図柄が「５７３」で仮停止する（最下欄）。尚、仮停止の状態においては、三個の装飾図柄は揺れ変動状態にある。
【０１７３】
次に、図４５（ａ−２）は、装飾図柄の擬似連続変動（２回目）における、ステップアップ擬似連続変動（ステップアップ予告は変化無し）の様子である。図４５（ａ−１）で仮停止状態にあった「５７３」は再び変動を開始するが、この際、１回目の擬似変動の際に表示されたステップアップ予告（「Ｓ１」〜「Ｓ２」）がＴＨ予告として当初（２回目の擬似変動の当初）から固定的に表示されている（第一段）。その後は、ステップアップ予告は発展することなく（第二段〜第五段）、装飾図柄が「７２４」で仮停止する（最下欄）。
【０１７４】
最後に、図４５（ａ−３）は、装飾図柄の擬似連続変動（３回目）における、ステップアップ擬似連続変動（「Ｓ３」まで発展）の様子である。図４５（ａ−２）で仮停止状態にある「７２４」は再び変動を開始するが、２回目の擬似連続変動のときと同様に、１回目の擬似変動の際に表示されたステップアップ予告（「Ｓ１」〜「Ｓ２」）がＴＨ予告として当初（３回目の擬似変動の当初）から固定的に表示されている（第一段）。そして、しばらく同じ状態が続いた後（第二段〜第三段）、ステップアップ予告Ｓ３表示タイミングに到達すると「Ｓ３」が表示される（第四段）。そして、これ以上ステップアップ予告は発展することなく、装飾図柄が「７７７」で停止し大当たりとなる（最下欄）。尚、図５２に、当該変動開始直後から第二回目変動までの各タイミングにおける演出表示関連情報一時記憶手段２１５３ｄの一時記憶内容を示す。
【０１７５】
本最良形態によれば、ある識別情報変動下で表示したステップアップ予告と同一内容を、当該ある識別情報変動終了後に実行される、次以降の識別情報変動の際にも固定的に表示し続けるよう制御するように構成されているので、当該変動時しかステップアップ予告が表示されない現在の機種（先読み禁止型）と比較すると、複数変動に亘って表示される分、ステップアップ予告の表示時間が相対的に長くなるために遊技者に高い満足感を付与することができると共に、従来の機種（先読み許容型）のような遊技の公正を害する調整機能は存在しないので、遊技者に対して安心感を付与することができるという効果をも奏する。
【０１７６】
更に、ステップアップ予告が継続表示されている間、内部的にステップアップ予告が仮決定された場合、現在表示されているステップアップ予告よりもより先の段階に発展するステップアップ予告が仮決定された場合にのみ、当該発展した段階のステップアップ予告を表示し、逆により先の段階まで発展しないステップアップ予告が仮決定された場合には、当該ステップアップ予告をオミットするように構成されている。即ち、ある段階までのステップアップ予告が継続表示されている間は、仮に内部的により先の段階までのステップアップ予告が選択されていても、当該ある段階を超えるタイミングまで達するまで当該先の段階のステップアップ予告が表示されない。このため、遊技者は、ステップアップ予告が継続表示されている間、変動表示の度に、「もしかしたら今回はより発展するステップアップ予告が選択されているかもしれない」との期待感を抱く。より具体的には、継続的に表示されているステップアップ予告の段階を超えるまで、遊技者は当該ステップアップ予告の段階を超えるステップアップ予告が内部的に選択されているのかを認識することができない。したがって、遊技者に対して継続的な期待感を抱かせることができる結果、遊技の興趣性をより高めることが可能になるという効果を奏する。
【０１７７】
更に、擬似連続変動を構成する各セットに擬似連続予告を介在させるように構成されているので、当該擬似連続予告が続くことによる不自然さに起因して擬似連続変動同士に有機的一体性を持たせることができ、遊技者に擬似連続変動であることを確実に悟らせることが可能になるという効果を奏する。
【０１７８】
更に、擬似連続変動がより先の段階に発展する程、ステップアップ予告をより先の段階まで発展させるよう構成されているので、より不自然さを醸し出すことが可能となる結果、遊技者に擬似連続変動であることを更に確実に悟らせることが可能になるという効果を奏する。加えて、滞在モードと組み合わせた場合の効果として、複数回の変動に亘りステップアップ予告的な表示がなされた場合、（少なくとも、想定される擬似連続変動の上限回数までは）そのような表示が滞在モードに基づくものなのか擬似連続変動に基づくものなのかの判別が困難であるので、高頻度でそのような表示（滞在モード及び擬似連続変動のどちらであるかが判別困難な表示）を実行することが可能になる結果、遊技者に対して、擬似連続変動であるかもしれないという期待感を高頻度で付与することが可能になるという効果を奏する。
【０１７９】
更に、複数回の擬似変動の際、ある擬似変動の際に表示されたステップアップ予告の内容を次の擬似変動の際にも引き続き表示するよう制御するよう構成されているので、複数回の擬似変動の内容が相互に連関する結果、遊技者に擬似連続変動であることを更に確実に悟らせることが可能になるという効果を奏する。
【０１８０】
更に、前記複数回の識別情報変動の間に、現在表示されているステップアップ予告を超える段階までは発展しないステップアップ予告が内部的に当選した場合には、現在固定的に表示されているステップアップ予告の段階は変えることなく、当該段階に係る表示態様を別の表示態様に差し替えて表示するよう構成されているので、内部的にステップアップ予告が当選したことを遊技者に報知できる結果、このように別の表示態様となった際の識別情報変動について遊技者に期待感を付与することが可能になると共に、表示態様が変わるという新たな楽しみを遊技者に付与することができるという効果を奏する。加えて、信頼度の低いステップアップ予告が表示されることに起因した遊技者の不快感を払拭できると共に、内部当選した当該信頼度の低いステップアップ予告が新たな演出のトリガーとして利用される結果、当該信頼度の低いステップアップ予告を単にキャンセルする態様と比較し、遊技の単調さを回避することができるという効果も奏する。
【０１８１】
更に、現在表示されているステップアップ予告を超える段階までは発展しないステップアップ予告の内部仮決定回数をカウントし、当該カウント値に基づき、差し替えられる表示態様が変化するように構成されているので、カウント値を積み重ねていくことにより新たな表示態様を見ることができるという動機付けを遊技者に対して付与することができる結果、遊技の興趣性をより高めることが可能となるという効果を奏する。
【図面の簡単な説明】
【０１８２】
【図１】図１は、本発明の最良形態に係るパチンコ遊技機の正面図である。
【図２】図２は、本発明の最良形態に係るパチンコ遊技機の背面図である。
【図３】図３は、本発明の最良形態に係るパチンコ遊技機の機能ブロック図である。
【図４】図４は、本発明の最良形態に係るパチンコ遊技機における、主制御装置側でのメインフローチャートである。
【図５】図５は、本発明の最良形態に係るパチンコ遊技機における、主制御装置側での普通図柄当選乱数取得処理のフローチャートである。
【図６】図６は、本発明の最良形態に係るパチンコ遊技機における、主制御装置側での電チュー駆動判定処理のフローチャートである。
【図７】図７は、本発明の最良形態に係るパチンコ遊技機における、主制御装置側での特別遊技内容決定乱数取得処理のフローチャートである。
【図８】図８は、本発明の最良形態に係るパチンコ遊技機における、主制御装置側での特別図柄表示処理のフローチャートである。
【図９】図９は、本発明の最良形態に係るパチンコ遊技機における、主制御装置側での特定遊技終了判定処理のフローチャートである。
【図１０】図１０は、本発明の最良形態に係るパチンコ遊技機における、主制御装置側での特別遊技作動条件判定処理のフローチャートである。
【図１１】図１１は、本発明の最良形態に係るパチンコ遊技機における、主制御装置側での特別遊技実行処理のフローチャートである。
【図１２】図１２は、本発明の最良形態に係るパチンコ遊技機における、主制御装置側での特別遊技終了後の遊技状態決定処理のフローチャートである。
【図１３】図１３は、本発明の最良形態に係るパチンコ遊技機における、表示制御装置側でのメインフローチャートである。
【図１４】図１４は、本発明の最良形態に係るパチンコ遊技機における、表示制御装置側での装飾図柄表示内容決定処理のフローチャートである。
【図１５】図１５は、本発明の最良形態に係るパチンコ遊技機における、表示制御装置側での予告内容決定処理のフローチャートである。
【図１６】図１６は、本発明の最良形態に係るパチンコ遊技機における、表示制御装置側でのステップアップ予告可否仮決定・内容仮決定処理のフローチャートである。
【図１７】図１７は、本発明の最良形態に係るパチンコ遊技機における、表示制御装置側での滞在モード・移行転落決定・実行処理のフローチャートである。
【図１８】図１８は、本発明の最良形態に係るパチンコ遊技機における、表示制御装置側での非滞在モード下処理のフローチャートである。
【図１９】図１９は、本発明の最良形態に係るパチンコ遊技機における、表示制御装置側でのステップアップ予告可否決定・内容決定処理（非滞在モード時）のフローチャートである。
【図２０】図２０は、本発明の最良形態に係るパチンコ遊技機における、表示制御装置側での擬似連続演出決定時における、ステップアップ予告可否決定・内容決定処理（非滞在モード時）のフローチャートである。
【図２１】図２１は、本発明の最良形態に係るパチンコ遊技機における、表示制御装置側での滞在モードα下処理のフローチャートである。
【図２２】図２２は、本発明の最良形態に係るパチンコ遊技機における、表示制御装置側でのステップアップ予告可否決定・内容決定処理（滞在モードα時）のフローチャートである。
【図２３】図２３は、本発明の最良形態に係るパチンコ遊技機における、表示制御装置側での滞在モードα１又はα２時における、ステップアップ予告可否決定・内容決定処理のフローチャートである。
【図２４】図２４は、本発明の最良形態に係るパチンコ遊技機における、表示制御装置側での滞在モードα３時における、ステップアップ予告可否決定・内容決定処理のフローチャートである。
【図２５】図２５は、本発明の最良形態に係るパチンコ遊技機における、表示制御装置側での擬似連続演出決定時における、ステップアップ予告可否決定・内容決定処理（滞在モードα時）のフローチャートである。
【図２６】図２６は、本発明の最良形態に係るパチンコ遊技機における、表示制御装置側での滞在モードβ下処理のフローチャートである。
【図２７】図２７は、本発明の最良形態に係るパチンコ遊技機における、表示制御装置側での装飾図柄表示制御処理のフローチャートである。
【図２８】図２８は、本発明の最良形態に係るパチンコ遊技機における、表示制御装置側での予告表示制御処理のフローチャートである。
【図２９】図２９は、本発明の最良形態に係るパチンコ遊技機における、表示制御装置側での非滞在モード下処理のフローチャートである。
【図３０】図３０は、本発明の最良形態に係るパチンコ遊技機における、表示制御装置側での通常ステップアップ予告表示処理（非滞在モード時）のフローチャートである。
【図３１】図３１は、本発明の最良形態に係るパチンコ遊技機における、表示制御装置側での擬似連続ステップアップ予告表示処理（非滞在モード時）のフローチャートである。
【図３２】図３２は、本発明の最良形態に係るパチンコ遊技機における、表示制御装置側での滞在モードα下処理のフローチャートである。
【図３３】図３３は、本発明の最良形態に係るパチンコ遊技機における、表示制御装置側での通常ステップアップ予告表示処理（滞在モードα時）のフローチャートである。
【図３４】図３４は、本発明の最良形態に係るパチンコ遊技機における、表示制御装置側での擬似連続ステップアップ予告表示処理（滞在モードα時）のフローチャートである。
【図３５】図３５は、本発明の最良形態に係るパチンコ遊技機における、表示制御装置側での滞在モードβ下処理のフローチャートである。
【図３６】図３６は、本発明の最良形態に係るパチンコ遊技機における、表示制御装置側での図柄変動終了後の予告関連処理のフローチャートである。
【図３７】図３７は、本発明の最良形態に係るパチンコ遊技機における、表示制御装置側での滞在モードα２時更新処理のフローチャートである。
【図３８】図３８は、本発明の最良形態に係るパチンコ遊技機における、表示制御装置側での特別遊技中表示制御処理のフローチャートである。
【図３９】図３９は、本発明の最良形態に係るパチンコ遊技機における、装図表示部上に表示される画面例である。
【図４０】図４０は、本発明の最良形態に係るパチンコ遊技機における、装図表示部上に表示される画面例である。
【図４１】図４１は、本発明の最良形態に係るパチンコ遊技機における、装図表示部上に表示される画面例である。
【図４２】図４２は、本発明の最良形態に係るパチンコ遊技機における、装図表示部上に表示される画面例である。
【図４３】図４３は、本発明の最良形態に係るパチンコ遊技機における、装図表示部上に表示される画面例である。
【図４４】図４４は、本発明の最良形態に係るパチンコ遊技機における、装図表示部上に表示される画面例である。
【図４５】図４５は、本発明の最良形態に係るパチンコ遊技機における、装図表示部上に表示される画面例である。
【図４６】図４６は、本発明の最良形態に係るパチンコ遊技機における、演出表示関連情報一時記憶手段の一例である。
【図４７】図４７は、本発明の最良形態に係るパチンコ遊技機における、演出表示関連情報一時記憶手段の一例である。
【図４８】図４８は、本発明の最良形態に係るパチンコ遊技機における、演出表示関連情報一時記憶手段の一例である。
【図４９】図４９は、本発明の最良形態に係るパチンコ遊技機における、演出表示関連情報一時記憶手段の一例である。
【図５０】図５０は、本発明の最良形態に係るパチンコ遊技機における、演出表示関連情報一時記憶手段の一例である。
【図５１】図５１は、本発明の最良形態に係るパチンコ遊技機における、演出表示関連情報一時記憶手段の一例である。
【図５２】図５２は、本発明の最良形態に係るパチンコ遊技機における、演出表示関連情報一時記憶手段の一例である。
【符号の説明】
【０１８３】
１１２０  乱数取得判定実行手段
１１７０  特別遊技制御手段
２１１０  特図始動口
２１２０  大入賞口
２１４０  演出表示装置
２１５３ａ  装飾図柄表示制御手段
２１５３ａ−１  装図表示内容決定手段
２１５３ｃ  予告表示制御手段
２１５３ｃ−１  予告表示可否決定・内容決定手段
【図１】
2011041816.tif 000003
【図２】
2011041816.tif 000004
【図３】
2011041816.tif 000005
【図４】
2011041816.tif 000006
【図５】
2011041816.tif 000007
【図６】
2011041816.tif 000008
【図７】
2011041816.tif 000009
【図８】
2011041816.tif 000010
【図９】
2011041816.tif 000011
【図１０】
2011041816.tif 000012
【図１１】
2011041816.tif 000013
【図１２】
2011041816.tif 000014
【図１３】
2011041816.tif 000015
【図１４】
2011041816.tif 000016
【図１５】
2011041816.tif 000017
【図１６】
2011041816.tif 000018
【図１７】
2011041816.tif 000019
【図１８】
2011041816.tif 000020
【図１９】
2011041816.tif 000021
【図２０】
2011041816.tif 000022
【図２１】
2011041816.tif 000023
【図２２】
2011041816.tif 000024
【図２３】
2011041816.tif 000025
【図２４】
2011041816.tif 000026
【図２５】
2011041816.tif 000027
【図２６】
2011041816.tif 000028
【図２７】
2011041816.tif 000029
【図２８】
2011041816.tif 000030
【図２９】
2011041816.tif 000031
【図３０】
2011041816.tif 000032
【図３１】
2011041816.tif 000033
【図３２】
2011041816.tif 000034
【図３３】
2011041816.tif 000035
【図３４】
2011041816.tif 000036
【図３５】
2011041816.tif 000037
【図３６】
2011041816.tif 000038
【図３７】
2011041816.tif 000039
【図３８】
2011041816.tif 000040
【図３９】
2011041816.tif 000041
【図４０】
2011041816.tif 000042
【図４１】
2011041816.tif 000043
【図４２】
2011041816.tif 000044
【図４３】
2011041816.tif 000045
【図４４】
2011041816.tif 000046
【図４５】
2011041816.tif 000047
【図４６】
2011041816.tif 000048
【図４７】
2011041816.tif 000049
【図４８】
2011041816.tif 000050
【図４９】
2011041816.tif 000051
【図５０】
2011041816.tif 000052
【図５１】
2011041816.tif 000053
【図５２】
2011041816.tif 000054